(57)【特許請求の範囲】
【請求項１】
放送受信部と、
前記放送受信部が受信する放送番組又はデジタルカメラで撮影された画像を選択的に表示することが可能なテレビ表示部と、
前記テレビ表示部の表示画像を切換える指示を受ける画像切換え指示受領部と、
放送番組の表示が中断可能であるかどうか判断し、中断不可と判断したときは、前記画像切換え指示受領部によって、前記テレビ表示部の表示画像を放送番組から前記デジタルカメラで撮影された画像に切換える旨の指示が受領されても、前記テレビ表示部の表示画像の切換えを行わない画像切換え制御部とを備え、
前記画像切換え制御部は、前記テレビ表示部に表示されている放送番組の放送時間情報に基づいて、放送番組の表示の中断の可否を判断する
ことを特徴とするテレビ。
【請求項２】
前記画像切換え制御部は、放送番組の表示が中断不可であると判断したときに、前記放送番組の表示を中断してもよいかどうかの確認を行う確認部を有し、確認の結果、中断可能であるとの応答があったときは、前記テレビ表示部の表示画像の切換えを実行することを特徴とする請求項１に記載のテレビ。
【請求項３】
前記画像切換え制御部は、コマーシャル放映中の場合、放送番組の表示を中断可能と判断することを特徴とする請求項１又は２に記載のテレビ。
【請求項４】
前記画像切換え制御部は、特定の情報を表すコードが、前記放送受信部で受信した放送番組の放送信号に含まれているか否かに基づいて、放送番組の表示の中断の可否を判断することを特徴とする請求項１から３のいずれか１項に記載のテレビ。
【請求項５】
前記テレビ表示部の表示画像が放送番組から前記デジタルカメラで撮影された画像に切換わったときに、放送番組の録画を開始する録画制御部を有することを特徴とする請求項１から４のいずれか１項に記載のテレビ。
【発明の詳細な説明】
【技術分野】
【０００１】
本発明は、デジタルカメラで撮影した画像を表示することができるテレビに関するものである。
【背景技術】
【０００２】
従来より、デジタルカメラには、専用のディスプレイが設けられ、画像を撮影したユーザは、ディスプレイに表示された画像を見て、自らが撮影した画像を確認することが可能である。しかしながら、デジタルカメラに設けられるディスプレイのサイズは、デジタルカメラのサイズの制約を受け、大型化することが困難であるため、デジタルカメラで撮影した画像をディスプレイに表示しても、ユーザが画像の細部まで確認することは困難である。
【０００３】
そこで、デジタルカメラで生成した画像信号をテレビに送信し、テレビ側で、受信した画像信号に基づき、画像を表示することによって、デジタルカメラで撮影した画像をテレビに表示することができるテレビ表示システムが提案されている（例えば、特許文献１および２参照）。
【０００４】
かかるテレビ表示システムによれば、デジタルカメラに設けられるディスプレイに画像を表示する場合とは異なり、大きな画面に画像を表示することができるため、画像の詳細を確認することが容易になり、さらには、撮影した画像を複数のユーザによって同時に鑑賞することも可能になる。
【特許文献１】特開２００３−１２５３３８号公報
【特許文献２】特開２００４−２０８１５９号公報
【発明の開示】
【発明が解決しようとする課題】
【０００５】
近年、テレビの大画面化、高精細化が進められている。このため、上述したテレビ表示システムの利用価値が向上し、デジタルカメラで撮影した画像を表示することができるテレビの需要が高まっている。また、デジタルカメラで撮影した画像を表示するに際し、使い勝手が良いことも求められ、高い利便性を有し、所望のように、デジタルカメラで撮影した画像を表示することができるテレビの開発が強く望まれている。
【０００６】
従って、本発明の目的は、所望のように、デジタルカメラで撮影した画像を表示することができるテレビを提供することにある。
【課題を解決するための手段】
【０００７】
本発明の前記目的は、放送受信部と、前記放送受信部が受信する放送番組又はデジタルカメラで撮影された画像を選択的に表示することが可能なテレビ表示部と、前記テレビ表示部の表示画像を切換える指示を受ける画像切換え指示受領部と、放送番組の表示が中断可能であるかどうか判断し、中断不可と判断したときは、前記画像切換え指示受領部によって、前記テレビ表示部の表示画像を放送番組から前記デジタルカメラで撮影された画像に切換える旨の指示が受領されても、前記テレビ表示部の表示画像の切換えを行わない画像切換え制御部とを備え、前記画像切換え制御部は、前記テレビ表示部に表示されている放送番組の放送時間情報に基づいて、放送番組の表示の中断の可否を判断することを特徴とするテレビによって達成される。
【０００８】
本発明の前記目的はまた、放送受信部と、前記放送受信部が受信する放送番組又はデジタルカメラで撮影された画像を選択的に表示することが可能なテレビ表示部と、前記テレビ表示部の表示画像を切換える指示を受ける画像切換え指示受領部と、前記画像切換え指示受領部が受領した指示に従って前記テレビ表示部の表示画像を切換える画像切換え制御部と、前記テレビ表示部の表示画像が放送番組から前記デジタルカメラで撮影された画像に切換わったときに、放送番組の録画を開始する録画制御部とを有することを特徴とするテレビによって達成される。
【発明の効果】
【０００９】
本発明によれば、所望のように、デジタルカメラで撮影した画像を表示することができるテレビを提供することが可能になる。
【発明を実施するための最良の形態】
【００１０】
図１は、本発明の第一の実施例のシステムブロック図であり、高精細テレビ１、高精細テレビ１に付属しているテレビリモコン２、およびデジタルカメラ３を含む。高精細テレビ１は、テレビリモコン２によって操作可能であるとともに、デジタルカメラ３からも直接操作可能である。つまり、デジタルカメラ３は、高精細テレビ１のリモコン機能も具備している。
【００１１】
上記リモコン機能について詳述する。テレビリモコン２において、制御部２０１はユーザによる操作部２０２の操作を検知し、赤外通信部２０３から、高精細テレビ１の赤外通信部１１１にリモコン操作のための赤外線信号を送る。一方、デジタルカメラ３の制御部３１１は、ユーザによる操作部３１２の操作を検知し、無線ＵＳＢ通信部３１３から、高精細テレビ１の無線ＵＳＢ通信部１１２にリモコン操作のための電波信号を送る。なお、無線ＵＳＢ通信部３１３と無線ＵＳＢ通信部１１２は、以上のようなリモコン操作信号だけでなく、後述のように、画像信号のやり取りも行う。
【００１２】
デジタルカメラ３の制御部３１１は、上記の他、デジタルカメラ３の種々の機能の制御を行う。以下、制御部３１１によって制御されるデジタルカメラ３の機能を説明する。
【００１３】
デジタルカメラ３の機能は、基本的に記録モードと再生モードに分けられ、その切換えは操作部３１２によって行われる。まず、記録モードでは、撮像部３１４で撮像される画像が動画状態で表示部３１５に表示される。ユーザが表示部３１５を見て構図を決め、操作部３１２に含まれるシャッタレリーズボタンを押すと、そのときの撮像部３１４からの画像が圧縮部３１６に送られ、圧縮された画像信号が記録部３１７に圧縮静止画信号として記録される。
【００１４】
一方、再生モードでは、二種類の手順が可能である。まずサムネイル表示による再生画像の選択の場合、記録部３１７に記録されている情報が読み出され、複数画像分のサムネイルが表示部３１５に一覧表示される。そして、ユーザがサムネイル表示を見ながら操作部３１２によりその一つを選択すると、選択されたサムネイルに対応する圧縮静止画信号が記録部３１７から読み出され、伸張部３１８により伸張されて表示部３１５に表示される。次の画像を見たいときには、操作部３１２を操作すると、次の画像の圧縮静止画信号が記録部３１７から読み出され、伸張部３１８により伸張されて表示部３１５に表示される。また、このように順々に再生する代わりに、操作部３１２を操作して一度サムネイル表示に戻り、操作部３１２の操作で再びその一つを選択することもできる。
【００１５】
再生モードでは、サムネイル表示を経ずに再生する手順も可能であり、この場合は、再生モードに設定すると、例えば、最も新しく記録された圧縮静止画信号が自動的に選択されて記録部３１７から読み出され、伸張部３１８により伸張されて表示部３１５に表示される。以下、同様に次の画像を見たいときには、操作部３１２を操作すると、次に新しい画像の圧縮静止画信号が記録部３１７から読み出され、伸張部３１８により伸張されて表示部３１５に表示される。なお、表示部３１５には、画像の表示の他、機能選択のためのメニューやデジタルカメラの状態を示す種々のメッセージなども表示することができる。
【００１６】
次に、高精細テレビ１の機能を説明する。高精細テレビ１の電源をオンするには、テレビリモコン２の操作部２０２を操作すると、制御部２０１がこれを検知し、赤外通信部２０３から赤外線信号を送る。高精細テレビ１の赤外通信部１１１がこの赤外信号を受信したことを制御部１１３が検知することによって高精細テレビ１の電源がオンになる。なお、高精細テレビ１においては、主要部への給電がオフ状態であっても、主電源がオンされていることによって待機状態となっている。このような待機状態では、微弱な電力が赤外通信部１１１および無線ＵＳＢ通信部１１２に常に供給されていて、外部からのリモコン操作に対応することができる。ここに、「高精細テレビの電源がオンになる」とは、この待機状態から主要部機能への給電がオン状態になることを指す。
【００１７】
テレビリモコン２の操作によって高精細テレビ１の電源がオンになると、そのことが制御部１１３で検知され、主要部への給電が行われるとともに、高精細テレビ１は通常の放送受信状態で立ち上がる。そして、選択されているチャンネルの放送が放送受信部１１４から録画再生処理部１１５、表示制御部１１６を経て、テレビ画面表示部１１７に表示される。なお、表示制御部１１６は表示切換え機能を持ち、テレビリモコン２から電源がオンされた上記の状態では録画再生処理部１１５からの信号がテレビ画面表示部１１７に表示される状態となっている。テレビリモコン２の操作部２０２によってチャンネル切換え操作が行われたことを制御部２０１が検知すると、その旨の赤外線信号が赤外通信部２０３から赤外通信部１１１に伝えられ、これが制御部１１３で検知されて放送受信部１１４におけるチャンネル切換えを指示する。
【００１８】
内蔵ハードディスク装置１１８は、画像および音声を記録することが可能となっており、放送録画および後述の静止画録画が可能となっている。ハード的に分かれているわけではないが、図１では、便宜上これをそれぞれ放送記録部１１９と静止画記録部１２０に機能分けて図示してある。
【００１９】
テレビリモコン２の操作部２０２によって放送録画が指示されたことが制御部２０１によって検知されると、その旨の赤外線信号が赤外通信部２０３から赤外通信部１１１に送られる。そして、これが制御部１１３で検知されると放送受信部１１４で受信される指定チャンネルの放送が録画再生処理部１１５を経て放送記録部１１９に記録される。一方、テレビリモコン２の操作部２０２によって放送録画の再生が指示されたことが制御部２０１によって検知されると、その旨の赤外線信号が赤外通信部２０３から赤外通信部１１１に送られる。そして、これが制御部１１３で検知されると放送記録部１１９の録画が読み出され、録画再生処理部１１５、表示制御部１１６を経て、テレビ画面表示部１１７に表示される。
【００２０】
次に、本発明の第一の実施例に基づき、デジタルカメラ３の画像を高精細テレビ１で表示する場合について説明する。第一の実施例では、デジタルカメラ３が再生モードに設定されていて、ある画像が表示部３１５に表示されている場合、操作部３１２を操作することによって、簡単にその画像を高精細テレビ１のテレビ画面表示部１１７に表示させることを可能とするように構成されている。
【００２１】
以下、上記の構成を具体的に説明すると、ある画像が表示部３１５に表示されている場合において、操作部３１２によりテレビ再生を指示すると、対応する圧縮静止画信号が記録部３１７から読み出され、無線ＵＳＢ通信部３１３から高精細テレビ１の無線ＵＳＢ通信部１１２に送信される。
【００２２】
このとき、高精細テレビ１の電源がオフ状態にあると、制御部１１３は無線ＵＳＢ通信部１１２への受信開始を検知して高精細テレビ１の電源をオンする。デジタルカメラ３からの信号によって高精細テレビ１の電源がオンされた場合、表示制御部１１６は録画再生処理部１１５ではなく、後述する画像保持部１２１からの信号がテレビ画面表示部１１７に表示される状態で立ち上がる。なお、高精細テレビ１の電源が既にオンであり、かつ表示制御部１１６が録画再生処理部１１５からの信号をテレビ画面表示部１１７に表示している状態で無線ＵＳＢ通信部１１２が画像信号を受信したときは、制御部１１３がこれを検知し、表示制御部１１６を切換えて画像保持部１２１からの信号がテレビ画面表示部１１７に表示される状態とする。
【００２３】
このような構成とすることにより、ユーザが高精細テレビ１又はテレビリモコン２を操作して、テレビ画面表示部１１７に表示される画像を録画再生処理部１１５の信号から画像保持部１２１の信号に切換えなくても、テレビ画面表示部１１７の表示状態を、デジタルカメラ３から送信された画像を表示可能な状態に切換えることができる。
【００２４】
以上のように、第一の実施例によれば、高精細テレビ１は、テレビリモコン２とデジタルカメラ３のいずれによって電源オンされかを識別し、異なった動作をする。
【００２５】
無線ＵＳＢ通信部１１２を経た通信が進み、圧縮静止画信号の受信が完了すると、伸張部１２２がこれを伸張して画像保持部１２１に保持させる。画像保持部１２１は、例えばフレームメモリで構成される。表示制御部１１６は画像保持部１２１からの信号をテレビ画面表示部１１７に表示できる状態なので、以上によりデジタルカメラ３の表示部３１５に再生されている画像が高精細テレビ１のテレビ画面表示部１１７に表示されることになる。
【００２６】
デジタルカメラ３の操作部３１２は、テレビ画面表示部１１７に表示されている画像を高精細テレビ１内に記録するかどうかの選択指示が可能であり、記録の指示がなされる場合には無線ＵＳＢ通信部１１２からの圧縮静止画信号が内蔵ハードディスク装置１１８の静止画記録部１２０に記録される。圧縮静止画信号が静止画記録部１２０に記録されている場合には、これを読み出して伸張部１２２により伸張し、画像保持部１２１に保持させれば、表示制御部１１６を経てテレビ画面表示部１１７にこれを表示することができる。この機能の詳細については後述する。
【００２７】
図２は、第一の実施例におけるデジタルカメラ３の制御部３１１の動作を示す基本フローチャートである。フローがスタートすると、ステップＳ１では、デジタルカメラ３の電源がオンされているかどうかを見る。オンされていなければ、元に戻り、操作部３１２よるオン操作を待つ。
【００２８】
既に電源がオンされているか又は操作部３１２による電源オン操作があった場合は、ステップＳ２に進み、再生モードかどうかを見る。再生モードであればステップＳ３に進み、例えば最新画像などの所定の画像を記録部３１７から読み出して伸張し表示部３１５に表示する。なお、既に何らかの画像が表示部３１５で再生されている場合にはステップＳ３ではその再生を継続する。次にステップＳ４に進み、高精細テレビ１との間で、信号の送受信を試みて、無線ＵＳＢによる通信が可能な環境であるかどうかをチェックする。ここに、通信が可能な環境とは、デジタルカメラ３が高精細テレビ１の通信圏内にあり、かつ高精細テレビ１の主電源がオンされていて通信の待機状態にあることを指す。このように、第一の実施例では、デジタルカメラ３が再生モードにあるときに高精細テレビ１への画像送信を可能にする。
【００２９】
なお、デジタルカメラ３の少なくとも無線ＵＳＢ通信部３１３がバッテリによって駆動される場合、ステップＳ４において、無線ＵＳＢによる圧縮静止画信号の送信動作に十分なバッテリ残量があるか否かを判断し、バッテリ残量がないと判断された場合には、ステップＳ４において、無線ＵＳＢによる通信が可能な環境にないと判定するようにしてもよい。バッテリの残容量は、例えば制御部３１１により、バッテリの開放電圧に相当する電圧を測定することによって判断することができる。この際に、表示部３１５に、バッテリの充電を促す表示を行うように構成すれば、より一層好適である。このような構成とすることにより、圧縮静止画信号の送信中にバッテリ残量が不足し、送信不能になるといったことを未然に防止することができる。
【００３０】
ステップＳ４において、無線ＵＳＢ通信が可能と判断されたときはステップＳ５に進む。ステップＳ５では、表示部３１５に再生表示されている画像を高精細テレビ１上で再生するためのテレビ再生操作をユーザが操作部３１２で行ったかどうかをチェックする。テレビ再生操作が行われたときはステップＳ６に進み、高精細テレビ１との交信によりテレビ再生処理を行う。その詳細については後述する。
【００３１】
一方、ステップＳ４において、無線ＵＳＢ通信が不能と判断されたときは、ステップＳ７に移行する。従って、上記のテレビ再生に関するステップＳ５、ステップＳ６の処理は行わない。また、ステップＳ５にてユーザによるテレビ再生操作が検知されなかったときもステップＳ７に移行する。
【００３２】
ここで、以上のステップＳ４からステップＳ７までの機能を実現するための具体的な構成を説明する。具体的な構成としてはいくつかのものが可能であるが、まず、第一の構成としては、操作部３１２によって可能な操作のメニューを表示部３１５に表示できるようにしておき、そのメニューの中に「テレビ再生」という項目も表示可能としておく。そして、ステップＳ４において無線ＵＳＢ通信が可能と判断されてステップＳ５に進んだときは、メニュー表示中に「テレビ再生」という項目も表示されるようにする。従って、ユーザは、ステップＳ５において操作部３１２を操作し、メニューの中から「テレビ再生」を選択することができる。一方、ステップＳ４において無線ＵＳＢ通信が不能と判断されてステップＳ７に移行したときは、メニュー表示中に「テレビ再生」という項目自体が表示されないようにする。従って、ユーザは、操作部３１２を操作し「テレビ再生」を選択することができなくなる。
【００３３】
ステップＳ４からステップＳ７までの機能を実現するための第二の構成としては、上記と異なり、メニュー表示中には常に「テレビ再生」という項目が表示されるようにしておく。ステップＳ４において無線ＵＳＢ通信が可能と判断されてステップＳ５に進んだときに、ユーザが操作部３１２を操作し、メニューの中から「テレビ再生」を選択することができるのは上記第一の構成と同じである。一方、ステップＳ４において無線ＵＳＢ通信が不能と判断されてステップＳ７に移行したときは、メニュー表示中の「テレビ再生」という項目を操作部３１２で選択したとしてもその操作が無効になるよう構成する。従って、ユーザは「テレビ再生」を選択することができない。この場合、ユーザが「テレビ再生」という項目を操作部３１２で選択したことに応答して、表示部３１５に警告表示を出すようにしてもよい。その警告表示の例としては、「ＵＳＢ通信圏外です」や「テレビのメイン電源を入れてください」のようなものが考えられる。
【００３４】
上記第二の構成の場合、「テレビ再生」の指示を表示部３１５のメニューを操作部３１２で選択する構成に代えて、「テレビ再生」指示のための操作ボタンを操作部３１２に設けるようにし、無線ＵＳＢ通信が不能とされてステップＳ７に移行したときは操作ボタンを押してもその操作が無効となるよう構成してもよい。操作ボタンは無線ＵＳＢ通信が可能であるか否かに拘わらず、常に操作部３１２に存在するから、このような構成も第二の構成の一種である。
【００３５】
さらに、以上の第二の構成において、もともと通信が不能なときに「テレビ再生」の指示をしても何も起こらないので、デジタルカメラ３の機能遂行上問題がないなら、通信不能状態で行われた「テレビ再生」操作部３１２の操作を無効にするという上記の構成を省略し、単に警告表示を出すだけの構成としてもよい。
【００３６】
また、第一の構成および第二の構成のいずれでも適用可能であるが、ステップＳ３である画像が表示された後にステップＳ５まで進んだとき、「テレビ再生を行いますか？」というメッセージを積極的に表示部３１５に表示するようにしてもよい。この場合、メッセージに対して操作部３１２で「Ｎｏ」の操作をした場合の他、表示開始から所定時間経過しても操作部３１２による何の操作もなかったときはテレビ再生の意思がないものと看做してステップＳ７に移行するよう構成する。なお、このステップＳ５に至ってから所定時間経過しても操作部３１２による何の操作もなかったときにステップＳ７に移行する構成は、「テレビ再生を行いますか？」というメッセージを積極的に表示部３１５に表示しない場合でも適用することが出来る。
【００３７】
このように第一の実施例においては、無線ＵＳＢ通信が可能なときにのみ、テレビ再生の指示操作を可能にし、無線ＵＳＢ通信が不可能なときには、テレビ再生を指示する項目を表示しなかったり、指示が実行できない旨の警告を発するなどする。このため、ユーザに、無駄なテレビ再生指示操作を実行させてしまうのを回避することが可能になる。
【００３８】
さて、ステップＳ７では、表示部３１５に表示される画像を次の画像に送るための画像送り操作が操作部３１２で行われたかどうかがチェックされる。そして画像送りがあったときはステップＳ３に戻り、次の画像を表示部３１５に表示する。そして、この新しい画像についてもステップＳ４からステップＳ７の手順が適用され、新しい画像についてテレビ再生が指示されたときは先の画像に代えて新しい画像がテレビ再生される。以下、ステップＳ７に来る毎に、画像送りが行われていれば次々に新しい画像をテレビ再生することが可能になる。このように第一の実施例では、ステップＳ７で操作部３１２による画像送り操作を検知する毎にステップＳ３を経由してステップＳ５に至り、ステップＳ３で表示された新しい画像を高精細テレビ１で再生表示する操作を可能とする。この場合も、上記と同様、ステップＳ５に至る毎に、新しい画像について「テレビ再生を行いますか？」というメッセージを表示部３１５に表示するようにしてもよい。
【００３９】
ステップＳ７において画像送り操作が検知されなかったときは、ステップＳ８に進み、操作部３１２によるサムネイル表示への切換えがあったかどうかがチェックされる。サムネイル表示への切換えがあったことが検知されるとステップＳ９に進み、一覧表示されているサムネイル中の一つの画像が操作部３１２によって指定されたかどうかをチェックする。そして、画像指定があれば、ステップＳ３に戻り、指定された画像を画像表示部３１５に表示する。以下、その画像についてステップＳ４からステップＳ７の手順が適用され、指定された画像についてテレビ再生が指示されたときはその画像がテレビ再生される。ステップＳ７からステップＳ９の手順も当然適用され、その間の操作部３１２の操作に対応できる。このように第一の実施例では、ステップＳ９で操作部３１２によるサムネイル一覧表示からの画像指定操作を検知する毎にステップＳ３を経由してステップＳ５に至り、ステップＳ３で表示された新しい画像を高精細テレビ１で再生表示する操作を可能とする。この場合も、上記と同様、ステップＳ５に至る毎に、新しい画像について「テレビ再生を行いますか？」というメッセージを表示部３１５に表示するようにしてもよい。
【００４０】
ステップＳ９において操作部３１２による画像指定が検知されなかったときは、ステップＳ１０に進み、操作部３１２によってデジタルカメラ３の電源がオフされたかどうかをチェックする。電源オフ操作が検知されなかったときは、ステップＳ１１に進み、操作部３１２によるモード切換え操作があったかどうかをチェックする。モード切換えが検知されなかったときは、ステップＳ３に戻り、その時点で表示部３１５に表示されている画像の表示を継続するとともに、ステップＳ４からステップＳ１１までの手順を適用し、その間の操作部３１２の操作に対応する。
ステップＳ１１においてモード切換えがあったときは、ステップＳ２に戻る。この場合、デジタルカメラ３の動作モードは記録モードになっているから、ステップＳ２における判断は「Ｎｏ」となる。以下、ステップＳ２での判断が記録モードであった場合について説明する。この場合は、ステップＳ２からステップＳ１２に進み、所定の撮影処理が行われる。撮影処理が終わるとステップＳ１３に進み、操作部３１２によってデジタルカメラ３の電源がオフされたかどうかをチェックする。電源オフ操作が検知されなかったときは、ステップＳ１４で操作部３１２によるモード切換え操作が行われたかどうかをチェックする。モード切換えが検知されない場合は、ステップＳ１２の撮影処理に戻り、記録モードが継続される。なお、ステップＳ１３において電源オフが検知されたときはステップＳ１に戻り、次の電源オン操作が行われるまで待機する。
【００４１】
ステップＳ１０において、操作部３１２による電源オフ操作が検出されたときは、ステップＳ１５に進み、高精細テレビ１との無線ＵＳＢ交信により、高精細テレビ１の表示制御部１１６が画像保持部１２１からの信号を選択していてデジタルカメラ３からの画像を再生する状態（「テレビ再生中」）になっているかどうかをチェックする。テレビ再生中であれば無線ＵＳＢ交信により高精細テレビ１にテレビ再生終了信号を送信する。これによって高精細テレビ１の表示制御部１１６は、録画再生処理部１１５からの信号を選択する通常の放送受信状態となる。なお、このとき高精細テレビ１は、電源オン履歴をチェックし、デジタルカメラ３からの操作で高精細テレビ１が立ち上がり、その後一度も通常放送受信状態になっていなかったことを検知できたときは、テレビ再生終了信号の受信に応答してテレビ電源をオフする。
【００４２】
図３は、図２のステップＳ６におけるテレビ再生処理の詳細を示すフローチャートである。テレビ再生処理がスタートすると、ステップＳ２１で無線ＵＳＢ通信の開始処理が行われ、ステップＳ２２に進んで高精細テレビ１の電源がオンになっているかどうかがチェックされる。高精細テレビ１の電源がオンになっていることが検知されなければステップＳ２３に進み、デジタルカメラ３から高精細テレビ１に向けて、テレビ電源オン信号が送信される。これによって高精細テレビ１の電源がオンになる。次いで、「デジタルカメラ３の操作によって高精細テレビ１の電源オンを行った」という履歴を残すためにステップＳ２４で静止画モード信号が高精細テレビ１に送信され、ステップＳ２５に移行する。一方、ステップＳ２２において既に電源がオンになっていることが検知された場合は直接ステップＳ２５に移行する。
【００４３】
ステップＳ２５では、高精細テレビ１が放送受信モードであるかどうかがチェックされる。放送受信モードであれば、ステップＳ２６で静止画モード切換信号を高精細テレビ１に送信してステップＳ２７に移行する。ステップＳ２６によって、高精細テレビ１の表示制御部１１６は、録画再生処理部１１５を選択していた状態から画像保持部１２１を選択する状態に切換わる。一方、ステップＳ２５において放送受信モードでなかった場合は、既に表示制御部１１６が画像保持部１２１を選択している状態なので、直接ステップＳ２７に移行する。
【００４４】
ステップＳ２７では、高精細テレビ１のテレビ画面表示部１１７で再生しようとしている画像（デジタルカメラ３の表示部３１５に表示されている画像）が既に高精細テレビ１に送信済みでその静止画記録部１２０に保存されているかどうかをチェックする。その画像を初めて高精細テレビ１で見る場合は当然送信済みではないので、ステップＳ２８に進み、デジタルカメラ３の記録部３１７から対応する圧縮静止画信号を読出して、無線ＵＳＢ通信で高精細テレビ１に送信し、それが完了すればステップＳ２９に移行する。
【００４５】
一方、デジタルカメラ３の表示部３１５に表示されている画像を過去に高精細テレビ１で再生したことがあり、かつその静止画が静止画記録部１２０に保存されている場合は、改めて送信する必要がない。従って、その代わりに、静止画記録部１２０から対応する圧縮静止画信号を読出すためにステップＳ３０にて読出し信号を無線ＵＳＢ通信にて高精細テレビ１に送信し、ステップＳ２９に移行する。
【００４６】
このように、ユーザにとってはデジタルカメラ３の表示部３１５に表示されている画像を高精細テレビ１で再生するという単一の操作であるにもかかわらず、対応する圧縮画像を送信する必要があるかどうかが自動的に判別され、無駄な画像送信が回避される。ユーザも、テレビ再生しようとしている画像が既に送信済みであったかどうか気にすることなく、単一の操作で目的を達することができる。
【００４７】
なお、上記のステップＳ２７によるチェックは無線ＵＳＢ通信によって高精細テレビ１と交信することによって行う。デジタルカメラ３から送信済みの画像で一度、高精細テレビ１の静止画記録部１２０に記録された画像であっても、その後消去されていた場合には再度の送信が必要だからである。
【００４８】
ステップＳ２９では、無線ＵＳＢ通信部１１２又は静止画記録部１２０からの圧縮静止画信号が伸張部１２２で伸張され、画像保持部１２１に送られてテレビ側再生がＯＫとなる状態を待つ。テレビ側再生ＯＫとなれば、所望の静止画がテレビ画面表示部１１７で観賞可能となる。
【００４９】
この状態でステップＳ３１に移行し、デジタルカメラ３の表示部３１５又は高精細テレビ１のテレビ画面表示部１１７に、鑑賞中の画像を高精細テレビ１側に保存するかどうかを問うメッセージを出す。ステップＳ３１では、このメッセージに応えてデジタルカメラ３の操作部３１２がどのように操作されたかもチェックする。
【００５０】
ステップＳ３１で「保存する」旨の操作があったことが検知されると、ステップＳ３２でその画像が既に静止画記録部１２０に記録済みかどうかがチェックされる。記録済みでなければ、ステップＳ３３で記録信号を無線ＵＳＢ通信で高精細テレビ１に送信し、ステップＳ３４に移行する。高精細テレビ１ではこの記録信号に応答し、無線ＵＳＢ通信部１１２で受信した圧縮静止画信号を静止画記録部１２０に記録する。一方、ステップＳ３２でその画像が既に静止画記録部１２０に記録済みであることが検知された場合は、何もせず（圧縮静止画信号を消去しない）ステップＳ３４に移行する。
【００５１】
一方、ステップＳ３１で「保存しない」旨の操作があったことが検知されると、ステップＳ３５でその画像が既に静止画記録部１２０に記録済みかどうかがチェックされる。記録済みであれば、ステップＳ３６で消去信号を無線ＵＳＢ通信で高精細テレビ１に送信し、ステップＳ３４に移行する。高精細テレビ１ではこの消去信号に応答し、静止画記録部１２０から対応する圧縮静止画信号を消去する。一方、ステップＳ３５でその画像が静止画記録部１２０に記録されていないことが検知された場合は、何もせず（圧縮静止画信号を記録しない）ステップＳ３４に移行する。
【００５２】
以上のように、第一の実施例では、テレビ画面表示部１１７に表示されている画像が無線ＵＳＢ通信部１１２で新たにデジタルカメラ３から受信したものであるか又は静止画記録部１２０から読み出されたものであるかに拘わらず、ユーザに対し、それを高精細テレビ１に保存するのかどうかという単一の質問を行う。換言すれば、新たに画像を保存するのか又は既に保存済みの画像を保存し続けるのかを区別しない。つまり、ユーザは高精細テレビ１に現在表示されている画像の処分について過去何らかの判断をしたか否かを全く気にすることなく、それを今後のために高精細テレビ１に残したいのかどうかの最終結論について最新の単一の意思表示をするだけでよい。
【００５３】
なお、第一の実施例では、ステップＳ３１の検知に応じてステップＳ３２又はステップＳ３５の判断をデジタルカメラ３側で行い、その判断に応じた信号をステップＳ３３又はステップＳ３６でデジタルカメラ３から高精細テレビ１に送信しているが、このような形態に限られるものではなく、デジタルカメラ３から高精細テレビ１へは単にステップＳ３１の検知結果のみを送信するようにし、検知結果に基づくステップＳ３２又はステップＳ３５の判断は高精細テレビ１側で行うようにしてもよい。この場合、ステップＳ３３又はステップＳ３６における信号は当然ながら高精細テレビ１内で発生させられる。
【００５４】
ステップＳ３４では、操作部３１２によってテレビ再生を終了する旨の操作があったかどうかをチェックし、操作があればステップＳ３７でテレビ再生終了信号を無線ＵＳＢ通信にて高精細テレビ１に送信し、ステップＳ３８でテレビ再生処理を終了して図２のステップＳ７に移行する。一方、ステップＳ３４で操作テレビ再生終了操作が検知されなければ直接ステップＳ３８に移行する。
【００５５】
以上のように、第一の実施例にかかるデジタルカメラ３は、動作モードが再生モードに設定され、表示部３１５に画像を表示した状態で、ユーザがテレビ再生操作を実行した場合には、表示部３１５に表示されている画像を高精細テレビ１に表示することが可能に構成されている。このため、テレビ表示の指示に際し、動作モードの切り換え操作や、表示部３１５の表示状態の切り換え操作などをユーザに強いることがない。従って、ユーザは、再生モードで再生している画像を見ながら、テレビ再生を希望する画像があったときに、テレビ再生の手動操作を１度だけ実行すれば足り、きわめて簡単な操作で、高精細テレビ１のテレビ画面表示部１１７に、デジタルカメラ３で生成した画像を表示することが可能になる。
【００５６】
図４は、第一の実施例にかかる高精細テレビ１の制御部１１３の動作を示す基本フローチャートである。フローがスタートすると、ステップＳ５１では、高精細テレビ１の電源がオンされているかどうかを見る。オンされていなければ、元に戻り、テレビリモコン２又はデジタルカメラ３による電源オン操作を待つ。
【００５７】
既に電源がオンされているか又は電源オン操作があった場合は、ステップＳ５２に進み、電源オンがデジタルカメラ３からの要求であったかどうかチェックする。このチェックは、図３のステップＳ２４でデジタルカメラ３から送信される静止画モード信号の検知により行う。なお、このような静止画モード信号の授受を省略し、無線ＵＳＢ通信部１１２での電波信号受信で電源オンとしたのか又は赤外通信部１１１での赤外信号受信で電源オンとしたのかを制御部１１３において判別するようにしてもよい。
【００５８】
ステップＳ５２で、電源オンがデジタルカメラ３からの要求に基づくものであったときはステップＳ５３に進み、静止画表示のためのＤＳＣモードに移行するためのＤＳＣモード処理を行う。この処理には表示制御部１１６の切換えやデジタルカメラ３の表示部３１５に表示されている画像（高精細テレビ１での再生を指定された画像）のＩＤ信号の受信などが含まれる。
【００５９】
ＤＳＣモード処理が終了するとステップＳ５４に移行し、受信した画像のＩＤ信号に基づき、静止画記録部１２０に指定画像が記録されているかどうかのサーチを行う。次いで、ステップＳ５５において、ステップＳ５４のサーチ結果に基づいて指定画像が記録されているかどうかを判定し、記録されていなければステップＳ５６に進む。ステップＳ５６では無線ＵＳＢ通信によりデジタルカメラ３から対応する圧縮静止画信号の受信を行い、受信が完了すればステップＳ５７に移行する。
【００６０】
一方、ステップＳ５５で指定画像が静止画記録部１２０に記録されていることが検知されればステップＳ５８に進み、対応する圧縮静止画信号の読出しを行う。読出しが完了すれば、ステップＳ５７に移行する。
【００６１】
ステップＳ５７では無線ＵＳＢ通信部１１２又は静止画記録部１２０からの圧縮静止画信号の伸張を行う伸張部１２１の動作が完了して画像保持部１２１に保持されたかどうかを見ており、伸張画像の保持が完了すればステップＳ５９に移行する。
【００６２】
以上のステップＳ５３からステップＳ５８までの処理は、図３におけるステップＳ２７からステップＳ３０までの処理と連携して行われる。
【００６３】
ステップＳ５９では画像保持部１２１に保持されている画像が表示制御部１１６経由でテレビ画面表示部１１７に表示される。つまり、図２のステップＳ３でデジタルカメラ３の表示部３１５に表示される静止画を見たユーザが、テレビ再生を意図して操作部３１２を操作したことがステップＳ５で検知されると、後は自動的に図４のステップＳ５９に至り、高精細テレビ１のテレビ画面表示部１１７に該当する静止画が表示されることになる。
【００６４】
ステップＳ５９での静止画表示が行われると、ステップＳ６０のテレビ側保存処理に移行する。この処理は、図３のステップＳ３１からステップＳ３３、ステップＳ３５およびステップＳ３６と連携して行われるものであり、その詳細は後述する。このステップＳ６０の処理が完了するとステップＳ６１に移行する。
【００６５】
ステップＳ６１ではデジタルカメラ３による次画像の指定を待ち、指定があればステップＳ５４に戻って次画像についてステップＳ５４からステップＳ６０の手順を適用する。このようにして、ステップＳ５９でテレビ画面表示部１１７に表示される画像が次画像に置き換わる。以下、ステップＳ６１に来る毎に、次画像の指定が行われていれば次々に新しい画像をテレビ再生することが可能になる。このステップＳ６１に関連する処理は、図２におけるステップＳ７やステップＳ９の処理と連携して行われる。
【００６６】
ステップＳ６１において次画像の指定がなかったときはステップＳ６２に進み、デジタルカメラ３からの静止画のテレビ再生が終了したかどうかがチェックされる。図２のステップＳ１１におけるモード切換え、又は図２のステップＳ１６で送信されるテレビ再生終了信号、又は図３のステップＳ３７で送信されるテレビ再生終了信号が制御部１１３で検知されるとデジタルカメラ３からの静止画のテレビ再生が終了したものと判断される。
【００６７】
ステップＳ６２において、デジタルカメラ３から静止画のテレビ再生の終了を要求する信号を受信したか否か、即ち操作者が静止画テレビ再生を終了してテレビ放送を視聴するために、操作部３１２を操作したか否か、又は放送受信部１１４によって津波警報、地震警報などの緊急放送を受信したか否かに応じて、静止画のテレビ再生の終了を判断してもよい。緊急放送の検出は、放送受信部１１４で受信されたテレビ放送信号の中に緊急情報であることを示すコードが含まれているか否かを判断することによって行うことができる。特に、緊急放送の場合には、緊急を要するので、ステップＳ６２に限らず、全てのステップで常に緊急放送の検出を行うようにし、たとえ圧縮静止画像信号をデジタルカメラ３から受信中であっても、切り換え操作を伴うことなく自動的に緊急放送の表示に切り換える構成とすることが望ましい。この際に、デジタルカメラ３からの圧縮静止画像信号の受信動作は、必ずしも中断させる必要はなく、継続させることもできる。
【００６８】
ステップＳ６２においてデジタルカメラ３からの静止画のテレビ再生が終了したものと判断されるとステップＳ６３に移行し、ＤＳＣモード終了処理を行う。この処理には表示制御部１１６の切換えなどが含まれる。
【００６９】
ＤＳＣモード処理が終了するとステップＳ６４に移行し、テレビリモコン２の操作部２０２による高精細テレビ１の電源オフ操作が行われたかどうかをチェックする。電源オフ操作が行われたときはステップＳ５１に戻り、電源オン操作を待って待機する。
【００７０】
ここでステップＳ６２の説明に戻る。ステップＳ６２においてデジタルカメラ３からの静止画のテレビ再生が終了したことの検知がなかったときはステップＳ６５に進み、操作部３１２によるデジタルカメラ３の電源オフ操作がなかったかどうかチェックする。そして電源オフ操作があった場合もデジタルカメラ３からの静止画のテレビ再生が終了したことに相当するからステップＳ６３に移行する。一方、デジタルカメラ３の電源オフがなかった場合はステップＳ５９に戻り、テレビ画面表示部１１７による静止画の表示を継続する。
【００７１】
次に、ステップＳ５２の説明に戻る。ステップＳ５２で、電源オンがデジタルカメラ３からの要求に基づくものでなかったときは、テレビリモコン２の操作部２０２による高精細テレビ１の通常の電源オンであるからステップＳ６６に移行する。ステップＳ６６では、通常の放送受信を実行すべく放送モードの処理を行い、ステップＳ６７で、操作部２０２による高精細テレビ１の電源オフ操作が行われたかどうかをチェックする。電源オフ操作が行われたときはステップＳ５１に戻り、電源オン操作を待って待機する。
【００７２】
一方、ステップＳ６７で電源オフ操作を検知しないときは、ステップＳ６８に進み、デジタルカメラ３から静止画再生の要求がないかチェックする。具体的には、図３のステップＳ２６において送信される静止画モード切換信号の受信の有無をチェックする。ステップＳ６８においてデジタルカメラ３からの静止画再生の要求がない場合はステップＳ６６に戻り、以下ステップＳ６６からステップＳ６８を繰り返し、高精細テレビ１の電源オフ操作、又はデジタルカメラ３からの静止画再生の要求に備える。なお、ステップＳ６４において、操作部２０２による高精細テレビ１の電源オフ操作が検知されなかったときはステップＳ６８に移行し、ステップＳ６６からステップＳ６８の繰り返しループに入る。
【００７３】
ステップＳ６８においてデジタルカメラ３からの静止画再生の要求があった場合は、上記ループを抜け、直ちにステップＳ５３に移行して静止画表示のためのＤＳＣモードに移行するためのＤＳＣモード処理を行い、ステップＳ５４からステップ５８の処理を経て、デジタルカメラ３からの静止画をテレビ画面表示部１１７に表示する。高精細テレビ１の動作モードをＤＳＣモードに切り換え、デジタルカメラ３からの静止画をテレビ画面表示部１１７に表示するに際しては、実際に、画像をテレビ画面表示部１１７に表示するまでにある程度の時間を要するため、それまでの間は、放送受信部１１４で受信される放送番組をテレビ画面表示部１１７に表示するようにしてもよい。
【００７４】
このように第一の実施例では、高精細テレビ１は、テレビリモコン２からの指示によって高精細テレビ１が起動されたときには、放送番組を表示可能な放送モードに設定され、デジタルカメラ３からの要求によって高精細テレビ１が起動されたときには、静止画像を表示可能なＤＳＣモードに設定されるように構成されている。このため、ユーザの要望に応じた動作モードに設定された状態で高精細テレビ１を起動することができ、高精細テレビ１を起動した後に、ユーザ自らが高精細テレビ１の動作モードを切換えなくても、高精細テレビ１の起動後、速やかに、テレビ画面表示部１１７にユーザが要求する画像を表示することが可能になる。
【００７５】
図５は、図２のステップＳ６におけるテレビ再生処理の詳細の他の実施例を示すフローチャートである。図３では、一つの画像について、送信又は読出し、そして記録又は消去という一連の処分が完了しないと次画像のテレビ再生に移行しないフローとなっている。これに対し、図５は、一つの画像信号の処分と他の画像信号の送信が併行して行われるフローとなっている。図３のフローと図５のフローを実行するための機能は、両方とも一つのデジタルカメラに搭載され、どちらのフローで処理を行うかのモード選択が可能なように構成することができる。
【００７６】
図５は、ステップＳ７２のバックグラウンド処理開始が挿入されていることを除き、図３と同じである。具体的に述べると、図５のステップ７１は図３のステップＳ２１からステップＳ２６と同一であり、これらを準備処理としてまとめたものである。ステップＳ７２はこれらの処理の後におかれるもので、ステップＳ２７以降の処理のバックグラウンドで併行して実行されるバックグラウンド処理の開始を指示するものである。
【００７７】
以下のステップＳ２７からステップＳ３０は図３と同一のものであって同一のステップ番号を付している。その説明は省略する。またステップＳ７３は図３のステップＳ３１からステップＳ３３およびステップＳ３５、ステップＳ３６と同一であり、これらを保存処理としてまとめたものである。さらに以下のステップＳ３４、ステップＳ３７およびステップＳ３８は図３と同一のものであって同一のステップ番号を付している。その説明は省略する。
【００７８】
図６は、図５のステップＳ７２で開始が指示されたバックグラウンド処理の内容を示すフローチャートである。バックグラウンド処理がスタートすると、ステップＳ８１で無線ＵＳＢ通信が可能かどうかがチェックされる。可能であれば、ステップＳ８２に進み、デジタルカメラ３の記録部３１７の記録内容と高精細テレビ１の静止画記録部１２０の記録内容とが比較されて、記録部３１７にあって静止画記録部１２０にない圧縮静止画信号が未送信画像として検出される。このとき、一度送信したが静止画記録部１２０に保存されなかったもの、および一度静止画記録部１２０に記録されたがその後消去されたものは未送信画像から除かれる。なお、消去されたものを未送信画像から除く代わりにこれらの画像の優先度を低くし、送信順序を後回しにするようにしてもよい。また、そのいずれにするかを予め設定可能としておいてもよい。
【００７９】
未送信画像が一つ検出されるとステップＳ８３に進み、対応する圧縮静止画信号がデジタルカメラ３の記録部３１７から読み出されて、無線ＵＳＢ通信によって高精細テレビ１に送信され、高精細テレビ１の静止画記録部１２０に記録される。一つの画像の送信が終わるとステップＳ８４に進み、図２のステップＳ１６や図３のステップＳ３７のテレビ再生終了信号が送信されたかどうかをチェックする。送信がなければ、ステップＳ８５に進み、図２のステップＳ１１で記録モードへのモード切換えが検知されたかどうかをチェックする。検知がなければ、ステップＳ８１に戻り、無線ＵＳＢ通信が可能かどうかをチェックした後、ステップＳ８２で未送信画像が他にないかチェックする。以下このループが繰り返される。
【００８０】
ステップＳ８２で未送信画像がなくなればステップＳ８６に移行してバックグラウンド処理を終了する。また、仮に未送信画像がまだあったとしても、ステップＳ８１で無線ＵＳＢ通信が不能になった場合、又はステップＳ８４でテレビ再生終了信号の送信が検知された場合、又はステップＳ８５で記録モードへのモード切換えが検知された場合は、ステップＳ８６に移行して直ちにバックグラウンド処理を終了する。
【００８１】
このようなバックグラウンド処理がなければ、図２のステップＳ７又はステップＳ９でテレビ再生すべき新たな静止画像を指定したとき、対応する圧縮静止画信号が未送信であればその送信完了まで高精細テレビ１での表示を待たなければならない。バックグラウンド処理は、図２のステップＳ５でひとたび何らかの画像のテレビ再生が指示されたときは、他の画像のテレビ再生も行われる可能性が高いと見做して、未送信画像については指定を待たずに次々に高精細テレビ１に圧縮静止画信号を送信しておくものである。これによって、指定があったときには直ちに画像信号を静止画記録部１２０から読出すことができ、指定された画像を速やかにテレビ画面表示部１１７に表示することが可能になる。
【００８２】
図５のステップＳ７２におけるバックグラウンド処理の開始を指示するステップは、さらに図２のステップＳ２とステップＳ３の間に挿入することもできる。これによって、図２のステップＳ２において再生モード設定が検知されたときは直ちに図６のバックグラウンド処理が開始される。つまり、デジタルカメラ３が高精細テレビ１の無線ＵＳＢ通信圏内において再生モードに設定されたときはテレビ再生が行われる可能性があると想定し、未送信画像についてはテレビ再生の指定を待たずに次々に高精細テレビ１に圧縮静止画信号を送信しておくものである。これによって、テレビ再生の指定があったときには直ちに画像信号を静止画記録部１２０から読出すことができ、指定された画像を速やかにテレビ画面表示部１１７に表示することが可能になる。また、送信直後にテレビ再生の指示がなかったとしても、後日のテレビ再生指示に備えることができる。
【００８３】
図７は、図４のステップＳ６８の前後に挿入することができる処理のフローチャートである。このフローチャートは、放送モード中にデジタルカメラ３から静止画の再生要求があった場合、図４のステップＳ６８からステップＳ５３に移行する前に行うことができる処理に関する。また、図４のステップＳ６３のＤＳＣモード終了処理からステップＳ６４を経てステップＳ６８に至り、ステップＳ６６からステップＳ６８の放送モードの繰り返しループに移行する際に行うことができる処理に関する。
【００８４】
図７において、図４と同じステップには同じステップ番号を付し、説明は省略する。またステップＳ９１は、図４のステップＳ５４からステップＳ６２およびステップＳ６５と同じで、これらを静止画表示処理としてまとめたものである。
【００８５】
図７が図４と異なる第一点は、ステップＳ６８において放送モード中にデジタルカメラ３から静止画の再生要求があってステップＳ５３に移行する前にステップＳ９２からステップＳ９４の処理が挿入されていることである。
【００８６】
ステップＳ９２は、ステップＳ６８においてデジタルカメラ３から静止画の再生要求があったときに直ちに放送表示を中断してよいかどうかをチェックする。具体的には、コマーシャルの時間帯や番組の切れ目など放送表示を中断しても差し支えない時間帯かどうかをチェックし、中断可能な時間帯でなければステップＳ９３に移行し、テレビ画面表示部１１７に、放送番組の表示を中断してもよいかどうかを問い合わせる確認メッセージを出す。次いでステップＳ９４に移行し、所定時間内にユーザが中断許可操作をしたかどうかをチェックする。
【００８７】
ここで、番組の切れ目についての情報は、例えばテレビ画面表示部１１７で表示されている番組が終了する時間情報（放送時間情報）である。この情報は、電子番組情報（ＥＰＧ）から得ることができる。また、視聴しようとする番組が試聴予約されている場合には、視聴予約された番組の予約時間情報から番組の切れ目（中断可能な時間帯）の情報を得ることができる。
【００８８】
ステップＳ９４において、デジタルカメラ３の操作部３１２を用いて中断しない旨の指示が出された場合、あるいは、確認メッセージを表示してから所定時間が経過しても何らの応答がなかった場合には、ステップＳ６６に戻り放送モードを継続する。逆に、所定時間内にデジタルカメラ３の操作部３１２を操作して、中断を許可する指示がステップＳ９４で検出された場合は、ステップＳ９５に進む。
【００８９】
ここで、ステップＳ９２において、前述の緊急放送の検出を行い、テレビ画面表示部１１７で、緊急放送を表示している場合には、即座に放送中断を不可と判断し、ステップＳ９３、Ｓ９４をとばしてステップＳ６６に戻る構成としてもよい。
【００９０】
これに対して、ステップＳ９２において、中断可能な時間帯であるか又は確認メッセージに応えて操作部３１２から中断してよい旨の指示が出された場合には、ステップＳ９５に移行する。
【００９１】
ステップＳ９５では、放送表示を中断するにあたり中断中の番組を録画しておく必要があるかどうかの問い合わせメッセージをテレビ画面表示部１１７に出す。問い合わせメッセージに応えて操作部３１２から録画が必要である旨の指示が出されると、ステップＳ９６に移行し、バックグラウンドで追っかけ再生に必要な録画を開始する処理をした後、ステップＳ５３に移行する。問い合わせメッセージを出してから所定時間が経過しても何らの応答がなければ、録画不要と判断して直接ステップＳ５３に移行する。ここで、追っかけ再生処理とは、受信している放送番組を録画しながら、通常の再生速度よりも早い速度で、録画した放送番組を再生する処理である。
【００９２】
なお、ステップＳ６８において、デジタルカメラ３からの静止画の再生要求があったときに、ステップＳ９２、Ｓ９５の判断処理を実行することなく、自動的にステップＳ９６の録画処理を開始し、ステップＳ５３の処理に移行するように構成することもできる。
【００９３】
図７が図４と異なる第二点は、ステップＳ６３のＤＳＣモード終了処理からステップＳ６４を経てステップＳ６８に移行する前にステップＳ９７およびステップＳ９８の処理が挿入されていることである。
【００９４】
ステップＳ９７では、前回の放送モード時にステップＳ９６で開始された録画が存在するかどうかのチェックを行う。録画がなければ、直接ステップＳ６８に移行する。そして、ステップＳ６８でのデジタルカメラ３からの静止画の再生要求がない限りステップＳ６６に移行し、以下通常放送受信のループが繰り返される。一方、ステップＳ９７で録画があればステップＳ９８に移行して録画に基づく追っかけ再生を開始する。追っかけ再生の結果、再生内容がリアルタイムの放送番組に追いつけば、再生を完了してステップＳ６８に移行する。そして、ステップＳ６８でのデジタルカメラ３からの静止画の再生要求がない限り、ステップＳ６６に移行し、以下通常放送受信のループが繰り返される。
【００９５】
以上のように、図７は、放送番組鑑賞中の静止画表示要求に配慮したフローとなっており、不用意な静止画表示が番組中に割り込むことがないようにするとともに、緊急に静止画を見たいときには放送番組の情報が失われないようにしている。
【００９６】
ここで、例えば、放送受信部１１４で受信される信号の視聴と録画動作とが同時に行われるような場合には、図７のステップＳ６８で、デジタルカメラ３からの静止画再生要求があった際に、即座にステップＳ５３のＤＳＣモード処理に移行するように構成することも可能である。
【００９７】
この動作を実現するためには、図７のステップＳ６８とステップＳ９２との間に、放送受信部１１４で受信されている信号を、テレビ画面表示部１１７に表示させる動作と、放送受信部１１４で受信されている信号の放送記録部１１９への録画動作とが並行して行われているか否かを判定するステップを挿入する。
【００９８】
この判定ステップで、放送受信部１１４で受信されている信号を、テレビ画面表示部１１７に表示させる動作と、上述の録画動作とが並行して行われていないと判定された場合には、ステップＳ９２に移行し、放送受信部１１４で受信されている信号を、テレビ画面表示部１１７に表示させる動作と、上述の録画動作とが並行して行われていると判定（肯定判定）された場合には、ステップＳ９５、Ｓ９６をスキップして、ステップＳ５３に移行する。
【００９９】
なお、上記のステップＳ６８とステップＳ９２との間に挿入された判定ステップが肯定判定された場合には、ＤＳＣモードから放送モードへの次回移行時のステップＳ９８において、録画された放送番組を再生させる。
【０１００】
この際に、次回のＤＳＣモードから放送モードへの移行時に、前回の放送モードで開始された録画動作が継続されている場合には、録画動作を継続しつつ、ステップＳ９８で、前述の追っかけ再生と同様の再生動作を行う。
【０１０１】
上記のような構成とすることにより、例えば、放送受信部１１４で受信される信号の視聴と録画が予め予約されるなどして、視聴と録画動作が同時に行われている際に、デジタルカメラ３からの静止画再生要求があった場合には、ユーザの判断処理を伴うことなく即座にＤＳＣモード処理に移行することができる。
【０１０２】
さらに、図７のステップＳ９７、Ｓ９８の判断は、放送記録部１１９への記録が許可されている放送番組であるか否かを判断するステップに置き換えることができる。
【０１０３】
放送番組は、著作権の関係から記録（録画）の回数が制限されることがある。放送受信部１１４で受信された放送番組が、既に所定回数の記録（複写）処理が行われたコンテンツであった場合には、放送記録部１１９への記録を行わない。従って、このような場合には、ステップＳ６８でデジタルカメラ３からの静止画の再生要求があった場合でも、ステップＳ９２の放送中断可否判断を否定判定して、放送受信部１１４で受信している放送番組をテレビ画面表示部１１７で表示し続け、当該放送番組の終了後に、ステップＳ９２の肯定判定を許容する構成とすることが好ましい。
【０１０４】
図８は、本発明の第二の実施例のシステムブロック図であり、高精細テレビ１、高精細テレビ１に付属しているテレビリモコン２、およびデジタルカメラ３を含む点では、第一の実施例と共通である。さらに、デジタルカメラ３がテレビリモコン１とともに高精細テレビ１のリモコン機能を有している点も共通である。従って、図８においては、第一の実施例と共通のブロックには同じ番号を付し、その説明を省略する。
【０１０５】
図８の第二の実施例が図１の第一実施例と異なるのは、リモコン信号の通信システムである。第一の実施例では、テレビリモコン２と高精細テレビ１の間のリモコン信号は赤外線通信によって行われ、デジタルカメラ３と高精細テレビ１の間のリモコン信号は無線ＵＳＢ通信で行われていて、リモコン通信に関する限り両者の通信システムは異なっている。これに対し、第二の実施例では、テレビリモコン２およびデジタルカメラ３からのリモコン信号は共通の通信システムによって行われている。具体的には、ＺｉｇＢｅｅなどの電波を用いた双方向低速デジタル通信システムが利用されている。
【０１０６】
図８において、ユーザによるテレビリモコン２の操作部２０２の操作が制御部２０１で検知されると、双方向低速デジタル通信部２５０から高精細テレビ１の双方向低速デジタル通信部１５０に、リモコン操作のための電波信号が送られる。一方、デジタルカメラ３にも双方向低速デジタル通信部３５０が設けられており、ユーザによる操作部３１２の操作を制御部３１１が検知すると、双方向低速デジタル通信部３５０から高精細テレビ１の双方向デジタル通信部１５０に、リモコン操作のための電波信号が送られる。このように、第二の実施例においては、テレビリモコン２からの指示を受ける無線通信部と、デジタルカメラ３からの指示を受ける無線通信部が共通の双方向低速デジタル通信部１５０として構成されている。なお、第二の実施例の画像信号のやり取りは、より高速の通信が可能な無線ＵＳＢ通信部３１３と無線ＵＳＢ通信部１１２の間で行われる。
【０１０７】
双方向低速デジタル通信部１５０等は、それぞれどの相手とどのような信号をやり取りしたかが識別可能であり、第二の実施例においても、図２から図７の各フローチャートの機能を実行可能である。例えば、制御部１１３は、図４のステップＳ５２において、電源オンがデジタルカメラ３又はテレビリモコン２のいずれからの要求であったか識別できる。
【０１０８】
図９は、図４又は、図７のステップＳ６２におけるＤＳＣモード終了処理の詳細を示すフローチャートであり、第一、第二の実施例のいずれにも適用可能なものである。ＤＳＣモード終了処理がスタートすると、ステップＳ１０１にて表示制御部切換え信号を発生する。これによって、表示制御部１１６は、画像保持部１２１を選択している状態から録画再生処理部１１５を選択している状態に切換わる。
【０１０９】
次に、ステップＳ１０２に進み、図３のステップＳ２４によって発生される静止画モード信号を受信した履歴があるかどうかをチェックする。履歴があれば高精細テレビ１はデジタルカメラ３の要求に従って電源オンされたわけであるからステップＳ１０３に進む。
【０１１０】
ステップＳ１０３では、ステップＳ１０１の処理が実行されて表示制御部１１６の表示状態が切り換えられた場合を除き、デジタルカメラ３が電源オンされた後に、表示制御部１１６の表示状態が切換えられた履歴があるかどうかをチェックする。履歴がなければ、ステップＳ１０４に進み、テレビ電源をオフする。その理由としては、高精細テレビ１はデジタルカメラ３の要求に従って電源オンされたまま一度も放送鑑賞状態になっていないわけであるから、ＤＳＣモード終了に伴ってテレビ電源も自動的にオフすることが適当だからである。ステップＳ１０４でテレビ電源がオフされれば、図４のステップＳ５１に戻ってテレビ電源のオン操作に備える。
【０１１１】
一方、ステップＳ１０２で静止画モード信号を受信した履歴がなければ、高精細テレビ１は当初テレビリモコン２の要求に従って放送番組を鑑賞すべく電源オンされていたわけであるから、高精細テレビ１の動作モードを放送モードに切換え、図４又は図７のステップＳ６４に移行し、テレビリモコン２の操作部２０２による高精細テレビ１の電源オフ操作が行われたかどうかのチェックに入る。
【０１１２】
また、ステップＳ１０３において、デジタルカメラ３が電源オンされた後に表示制御部１１６を切換えた履歴があった場合、静止画表示の前に放送番組を鑑賞していたことを意味するから、この場合も、高精細テレビ１の動作モードを放送モードに切換えた後に、ステップＳ６４に移行し、テレビリモコン２の操作部２０２による高精細テレビ１の電源オフ操作が行われたかどうかのチェックに入る。
【０１１３】
このように本実施例では、高精細テレビ１は、デジタルカメラ３から静止画表示を終了する旨の指示を受けたときに、デジタルカメラ３からの要求によって高精細テレビ１が起動された履歴があるか否かを判定し、履歴がない場合には、動作モードを放送モードに切り換えるように構成されている。このため、ユーザ自らが高精細テレビ１の動作モードを切換えなくても、デジタルカメラ３で撮影された静止画の表示が終了した後には、直ちに、放送番組を表示することが可能になる。
【０１１４】
また、本実施例にかかる高精細テレビ１は、デジタルカメラ３からの要求によって高精細テレビ１が起動された履歴があるときには、さらに、高精細テレビ１が起動された後に、放送番組を表示した履歴があるか否かを判定し、履歴がない場合には、自動的に自らの電源をオフするように構成されている。このため、ユーザに求める操作を少なくすることができると同時に、高精細テレビ１の消し忘れを防止することが可能になる。
【０１１５】
図１０は、図４のステップＳ６０におけるテレビ側保存処理の詳細を示すフローチャートであり、第一の実施例および第二の実施例のいずれにも適用可能なものである。テレビ側保存処理がスタートすると、ステップＳ１１１において、図３のステップＳ３３でデジタルカメラ３から送信される記録信号が高精細テレビ１で受信されていないかどうかチェックする。受信されていればステップＳ１１２に進み、図３のステップＳ２８で受信された圧縮画像信号を静止画記録部１２０に記録し、テレビ側保存処理を終了する。
【０１１６】
一方、ステップＳ１１１において記録信号が受信されていなければ、ステップＳ１１３に進み、図３のステップＳ３６でデジタルカメラ３から送信される消去信号が高精細テレビ１で受信されていないかどうかチェックする。受信されていればステップＳ１１４に進み、図３のステップＳ３０で読み出された圧縮画像信号を静止画記録部１２０から消去し、テレビ側保存処理を終了する。ステップＳ１１３において消去信号が受信されていなければ何もせず、テレビ側保存処理を終了する。
【０１１７】
図１１は、図２のフローチャートに一部機能を追加したフローチャートであり、第一、第二の実施例のいずれにも適用可能なものである。図２と共通のステップには同一のステップ番号を付し、その説明は省略する。また、図１１のステップＳ１２１は、図２のステップＳ３からステップＳ９と同一のフローであり、一画像表示処理としてまとめている。
【０１１８】
図１１に追加されている機能は、画像の一括送信モードであり、このモードを選ぶためのステップＳ１２２が図２のステップＳ２とステップＳ３の間に挿入されている。デジタルカメラ３の操作部３１２による一括送信モードの選択が検知されない場合は、一画像表示モードなのでステップＳ１２１（図２のステップ３）に移行し、以下、図２と全く同様の機能を実行する。
【０１１９】
一方、デジタルカメラ３の操作部３１２によって一括送信モードが選択されたことが検知されたときには、ステップＳ１２３に移行し、高精細テレビ１との交信を試みて、無線ＵＳＢによる通信が可能な環境であるかどうかをチェックする。ステップＳ１２３において無線ＵＳＢ通信が不能と判断されたときは、ステップＳ１０に移行し、この場合は結果的に図２と同様の機能の実行しかできない。
【０１２０】
これに対し、ステップＳ１２３において無線ＵＳＢ通信が可能と判断されたときはステップＳ１２４の表示対象選択操作に進む。ステップＳ１２４では、表示部３１５に再生表示される画像を見ながらテレビ再生すべき画像を操作部３１２で選択していく。この選択は、表示部３１５にサムネイルを一覧表示し、操作部３１２の操作でカーソルを移動させながら、テレビ再生すべき画像のサムネイルに一つずつマークを付けていくことによって行う。なお、マークを付ける際、サムネイルをクリックして対応する画像を一画像再生状態にして拡大確認することも可能である。また、サムネイル一覧表示によらず、一画像再生状態で順に画像送りしながらテレビ再生すべき画像を選択していくことも可能である。
【０１２１】
表示対象選択操作が終わると、ステップＳ１２５に移行し、表示対象サムネイルを表示部３１５に表示し、ステップＳ１２６に進む。ステップＳ１２６では、表示部３１５に再生表示されているサムネイルに対応する画像を高精細テレビ１上で再生するための一括送信開始操作が操作部３１２で行われたかチェックする。操作が行われたときはステップＳ１２７に進み高精細テレビ１との交信によりテレビ再生処理を行う。その詳細については後述する。一方、ステップＳ１２６において一括送信開始操作が検出されなかったときは、ユーザによる表示対象選択操作続行中と判断して、ステップＳ１２４に戻る。そしてステップＳ１２６において一括送信開始操作が検出されるまでステップＳ１２４からステップＳ１２６までのループを繰り返す。
【０１２２】
図１２は、図１１のステップＳ１２７におけるテレビ再生処理の詳細を示すフローチャートである。図１２は基本的には図３のフローチャートと共通なので、同じステップには同じステップ番号を付し、その説明は省略する。
【０１２３】
テレビ再生処理がスタートすると、ステップＳ１３１で前処理を行う。この前処理は、図３のステップＳ２１からステップＳ２６と同じものでこれらをまとめたものである。ステップＳ１３１を終了する（図３では、ステップＳ２６までの実行完了する）とステップＳ１３２に移行し、図１１のステップＳ１２６における一括送信開始指示の対象となり、ステップＳ１２５で表示部３１５に表示されたサムネイルの中から一つの画像を自動選択する。そして、この自動選択された一つの画像についてステップＳ１３３のチェックを行う。これは図３のステップＳ２７と同様の処理であり、その画像が既に高精細テレビ１に送信済みでその静止画記録部１２０に保存されているかどうかをチェックするものである。このチェック結果に基づく処理は、図３と同様であり、ステップＳ２８又はステップＳ３０を実行してステップＳ１３４に至る。
【０１２４】
ステップＳ１３４では、一括送信開始指示の対象となったサムネイルに対応する画像の中で、ステップＳ１３２からステップＳ１３３を経て、ステップＳ２８又はステップＳ３０の処理を未だ行っていない画像があるかどうかをチェックする。そしてこのような未処理画像があれば、ステップＳ１３２に戻り、一括送信開始指示の対象となったサムネイルの中から他の一つの画像を自動選択する。そして、未処理画像がある限り、ステップＳ１３２からステップＳ１３３を経て、ステップＳ２８又はステップＳ３０の処理に至るループを繰り返す。このようにして、一括送信開始指示の対象となったサムネイルに対応する画像の全てについて、個別にステップＳ２８又はステップＳ３０の処理を実行する。
【０１２５】
ステップＳ１３４で未処理画像がなくなれば、ステップＳ１３５に至り、再生対象サムネイルをテレビ画面表示部１１７に表示してステップＳ１３６に移行する。このようにして、ステップＳ１３５では、デジタルカメラ３の表示部３１５に表示されて一括送信開始指示の対象となったサムネイルと同じサムネイルがテレビ画面表示部１１７に表示されることになる。
【０１２６】
ステップＳ１３６では、テレビ画面表示部１１７に表示されているサムネイル中の一つの画像を選択する操作がデジタルカメラ３の操作部３１２で行われたかどうかをチェックする。そして、画像の選択があればステップＳ２９に移行する。一つの画像が選択された後の処理、すなわちステップＳ２９以降、ステップＳ３１からステップＳ３３、ステップＳ３５およびステップＳ３６の処理は図３と共通なので説明は省略する。
【０１２７】
ステップＳ１３７は、図３と共通のステップＳ３４の前に挿入されているステップである。その目的は、一括送信開始指示の対象となったサムネイルに対応する画像の中で、ステップＳ１３６からステップＳ２９、ステップＳ３１を経て、ステップＳ３２、ステップＳ３３、又はステップＳ３５、ステップＳ３６の処理を行っていない再生対象画像がまだ残っているかどうかをチェックすることにある。そして、これらの処理を行っていない再生対象画像が残っていればステップＳ１３６に戻り、未処理画像が残っている限り、これらの処理のループを繰り返す。このようにして、一括送信開始指示の対象となったサムネイルに対応する画像の全てについて、個別にステップＳ３１を経てステップＳ３２、ステップＳ３３又はステップＳ３５、ステップＳ３６の処理を実行する。ステップＳ１３７で未処理画像が残っていなければ、ステップＳ３４に至り、以下、図３と同様の処理となる。
【０１２８】
このように、第二の実施例においては、デジタルカメラ２は、ユーザによって選択された複数の画像をサムネイル表示し、サムネイル表示した全ての画像の圧縮画像信号を一括的に高精細テレビ１に送信するように構成されている。このため、ユーザは、選択した複数の画像のそれぞれについて、送信処理を実行する必要がなく、選択した画像がサムネイル表示された時点で、送信する旨の手動操作を１度だけ実行するのみで、高精細テレビ１での表示を希望した複数の画像をまとめて送信することができる。従って、送信操作を簡素化することが可能になり、また、テレビ画面表示部１１７の表示画像を切換える際の待ち時間を短縮することも可能になる。
【０１２９】
図１３は、本発明の第三の実施例のシステムブロック図であり、高精細テレビ１、およびデジタルカメラ３を含む点では、第一の実施例又は第二の実施例と共通である。但し、リモコンについては、高精細テレビ１およびデジタルカメラ３の双方を制御する統括リモコン４となっている。また、リモコンの通信システムは図８の第二の実施例と同様、電波を用いた双方向低速デジタル通信システムが利用されている。その他の点については共通なので、図１３においては、第一の実施例又は第二の実施例と共通のブロックには同じ番号を付し、その説明を省略する。
【０１３０】
図１３の第三の実施例が第一の実施例や第二の実施例と異なるのは、デジタルカメラ３が、基本的には高精細テレビ１のリモコン機能を持たず、デジタルカメラ３の静止画を高精細テレビ１で表示する際のリモコン操作が統括リモコン４で行われる点である。統括リモコン４の操作部４０２で行われた指示は制御部４０１で検知され、その指示が双方向低速デジタル通信部４６０から高精細テレビ１の双方向低速デジタル通信部１６０に伝えられる。統括リモコン４からデジタルカメラ３への指示は、通常、双方向デジタル通信部４６０から高精細テレビ１の双方向デジタル通信部１６０経由でデジタルカメラ３の双方向低速デジタル通信部３６０に伝えられる。その際、双方向デジタル通信部４６０からの指示そのままの中継だけでなく、双方向デジタル通信部１６０が検知したデジタルカメラ３への指示に対して高精細テレビ１の制御部１７０が判断や加工を付加し、その上で双方向低速デジタル通信部１６０からデジタルカメラ３の双方向低速デジタル通信部３６０に伝える場合もある。また、双方向デジタル通信部１６０が検知したデジタルカメラ３への指示を高精細テレビ１の制御部１７０が判断し、高精細テレビ１の無線ＵＳＢ通信部１１２とデジタルカメラ３の無線ＵＳＢ通信部３１３の間で交信を行う場合もある。なお、統括リモコン４からデジタルカメラ３への指示は、上記のように高精細テレビ１が中継する場合の他、その必要がない場合には、双方向低速デジタル通信部４６０と双方向低速デジタル通信部３６０との間で直接行うことも可能である。
【０１３１】
第三の実施例における画像信号のやり取りについては、第一の実施例や第二の実施例と同様、デジタルカメラ３の無線ＵＳＢ通信部３１３と高精細テレビ１の無線ＵＳＢ通信部１１２の間で行われる。しかしながら、画像通信の実行は第一の実施例や第二の実施例のようにデジタルカメラ３の操作部３１２の指示によるものではない。第三の実施例では、これに代えて、画像通信の実行は、高精細テレビ１の主電源がオンされている条件下でデジタルカメラ３が高精細テレビ１の通信圏内に入り、通信が可能な状況になったとき自動的に開始されるか、又は、統括リモコン４からの指示があったときに開始される。いずれにしても、例えばユーザが帰宅してデジタルカメラ３を高精細テレビ１の通信圏内に置けば、たとえデジタルカメラ３がユーザのバッグの中に入ったままで、デジタルカメラ３に対し何らの操作を行わない場合あっても、その画像をテレビ画面で鑑賞することができる。
【０１３２】
なお、デジタルカメラ３と高精細テレビ１の通信は直接行われる場合に限らず、家庭内が無線ＬＡＮ等の無線通信可能な環境にあれば、無線ＬＡＮを統括するサーバを介して通信を行うようにしてもよい。このことは第一の実施例や第二の実施例でも同様であり、これらの実施例においても、デジタルカメラ３と高精細テレビ１の通信は無線ＵＳＢに限らず、無線ＬＡＮであってもよく、また、直接通信に限らず、サーバ等の他の機器を経由するものであってよい。
【０１３３】
図１４は、第三の実施例において、デジタルカメラが複数ある場合のシステムブロック図である。統括リモコン４は図１３と同じものであり、図示も共通である。また、高精細テレビ１は、ブロックの一部の図示を省略しているが、図１３の高精細テレビ１と全く同じ構成である。さらに、デジタルカメラ３も、図１３のデジタルカメラ３と全く同じ構成であり、ブロックの一部の図示を省略している。但し、複数のデジタルカメラを区別するため、図１４のデジタルカメラ３のブロックには「ＤＳＣ１」という名称を付している。「ＤＳＣ２」という名称を付したデジタルカメラ５は、構成的にはデジタルカメラ３と同じものであり、ブロックの一部の図示を省略している。以下、図示は省略したが、図１４には、「ＤＳＣ３」、「ＤＳＣ４」等、さらに他のデジタルカメラが存在してもよい。
【０１３４】
統括リモコン４の双方向低速デジタル通信部４６０は、高精細テレビ１の双方向低速デジタル通信部１６０と交信可能である他、デジタルカメラ３の双方向低速デジタル通信部３６０、デジタルカメラ５の双方向低速デジタル通信部５６０、および他のデジタルカメラの双方向低速デジタル通信部と交信可能である。また、高精細テレビ１の無線ＵＳＢ通信部１１２は、デジタルカメラ３の無線ＵＳＢ通信部３１３と交信可能である他、デジタルカメラ５の無線ＵＳＢ通信部５１３、および他のデジタルカメラの無線ＵＳＢ通信部と交信可能である。
【０１３５】
以上のようにして、図１４のシステムのごとく高精細テレビ１の通信圏内に複数のデジタルカメラが存在する場合には、統括リモコン４の操作によりこれら複数のデジタルカメラの画像を種々の形で高精細テレビ１にて再生することが可能となる。
【０１３６】
図１５は、図１３の第三の実施例におけるデジタルカメラ３の制御部３７０の機能を示す基本フローチャートである。このフローチャートは図１４に示したデジタルカメラ５の制御部５７０の機能、さらには、その他のデジタルカメラの制御部の機能にも適用される。
【０１３７】
図１５のフローがスタートすると、ステップＳ１４１では、デジタルカメラ３の電源が操作部３８０の操作によってオンされているかどうかをチェックする。オンされたことが検知されればステップＳ１４２に移行し、操作部３８０の操作に従って通常ＤＳＣ機能を実行する。そしてステップＳ１４３にて操作部３８０による電源オフ操作が検知されない限り、ステップＳ１４２とステップＳ１４３のループを繰り返す。また、ステップＳ１４３で電源オフ操作が検知されるとステップＳ１４１に戻る。
【０１３８】
ステップＳ１４１で操作部３８０の操作による電源オン操作が検知されない場合はステップＳ１４４に進む。デジタルカメラ３は、テレビ表示について予め自動モード又はリモコン起動モードのいずれかに設定されている。この設定は、操作部３８０によって行われる。ステップＳ１４４ではこの設定が自動モードかどうかがチェックされており、自動モードでなければリモコン起動モードなのでステップＳ１４５に進む。ステップＳ１４５では、統括リモコン４の双方向低速デジタル通信部４６０からのリモコン起動信号がデジタルカメラ３の双方向低速デジタル通信部３６０に受信されたかどうかをチェックする。なお、統括リモコン４の制御部４０１は、高精細テレビ１とデジタルカメラ３との間の無線ＵＳＢ通信が可能かどうかをチェックしており、無線ＵＳＢ通信可能な条件下でデジタルカメラ３の画像を高精細テレビ１で再生する旨の操作が操作部４０２で行われたことを検知すると、双方向低速デジタル通信部からデジタルカメラ３にリモコン起動信号を発信する。ステップＳ１４５ではこのようなリモコン起動信号の受信の有無をチェックするわけである。なお、無線ＵＳＢ通信が不可能な条件下でデジタルカメラ３からの画像送信を要求するような操作が、統括リモコン４の操作部４０２で行われた場合は、その旨の警告が高精細テレビ１のテレビ画面表示部１１７に表示される。これについては高精細テレビ１の制御部１７０の機能として後述する。
【０１３９】
ステップＳ１４５でリモコン起動信号の受信が検知されない場合はステップＳ１４１に戻るが、リモコン起動信号の受信が検知された場合は、ステップＳ１４６に移行してデジタルカメラ３の電源をオンする。次にステップＳ１４７で、以後デジタルカメラ３の操作部３８０の操作があってもこれを無効化する処理をする。これは、デジタルカメラ３が統括リモコン４の指示によって電源オンされている状態において、デジタルカメラ３の操作部３８０によって統括リモコン４の指示に矛盾するか又はこれを阻害する操作が行われないようにするためである。
【０１４０】
なお、上記では、リモコン起動信号による電源オンであることをデジタルカメラ３自身の制御部３７０で判断してステップＳ１４７で無効化処理を行っているが、本発明の実施の形態はこれに限られるものではない。例えば、上記に代えて、高精細テレビ１側でＤＳＣ操作部無効化信号を作り、これをリモコン起動信号に続けてデジタルカメラ３に送信し、ステップＳ１４７ではこのような高精細テレビ１からの信号に応答してＤＳＣ操作部操作無効化の処理を行うよう構成してもよい。
【０１４１】
ステップＳ１４７の処理が済むとステップＳ１４８に進み、デジタルカメラ３の記録部３１７に高精細テレビ１で再生表示してよい画像が記録されているかどうかチェックする。デジタルカメラ３は操作部３８０の操作によって、そのデジタルカメラによって撮影された全画像についてテレビでの表示を禁止するよう予め設定しておくことができる。また、画像毎にテレビでの表示を禁止するよう設定しておくこともできる。これは、統括リモコン４の操作によってデジタルカメラ３のユーザのプライバシーが侵害されるのを防止するためである。ステップＳ１４８でデジタルカメラの全画像のテレビ表示が禁止されているか、又は個別の設定においてテレビ表示してよい画像が存在しないことを検知した場合は、直ちにステップＳ１４９に移行してデジタルカメラ３の電源を自動的にオフし、ステップＳ１４１に戻る。
【０１４２】
一方、ステップＳ１４８においてテレビ表示してよい画像があった場合はステップＳ１５０で表示可能な画像のサムネイル表示が統括リモコン４で要求されたかどうかをチェックする。そして、その旨の要求があればステップＳ１５１でサムネイル情報を送信し、ステップＳ１５２に移行する。サムネイル要求がなければ直接ステップＳ１５２に進む。
【０１４３】
ステップＳ１５２では、表示可能な画像のいずれかが統括リモコン４で指定されたかどうかをチェックする。そして、指定があればステップＳ１５３で指定画像の圧縮静止画信号を送信し、ステップＳ１５４に移行する。画像の指定がなければ直接ステップＳ１５４に進む。
【０１４４】
ステップＳ１５４では、統括リモコン４からのデジタルカメラ３の電源をオフする指示が受信されたかどうかをチェックする。電源オフの指示があればステップＳ１４９でデジタルカメラ３の電源をオフした後、ステップＳ１４１に戻る。電源オフの指示がなければ、ステップＳ１５０に戻り、以下、ステップＳ１５０からステップＳ１５４のループを繰り返す。
【０１４５】
以上がリモコン起動モードの動作であるが、次に自動モードの動作について説明する。ステップＳ１４４においてデジタルカメラ３が自動モードに設定されていることが検知されたときは、ステップＳ１５５において、デジタルカメラ３が、無線ＵＳＢ通信可能な環境下にあるかどうかをチェックする。通信可能な環境下にない場合はステップＳ１４１に戻るが、通信可能な環境下にある場合はステップＳ１５６に進み、圏外履歴がデジタルカメラ３の制御部３７０に記録されているかどうかをチェックする。
【０１４６】
圏外履歴とは、デジタルカメラ３が一度通信可能な環境下におかれた後に通信不能な状態となった履歴を指す。具体的にはデジタルカメラ３が室外に持ち出されて高精細テレビ１の通信圏外に出た場合や、位置的には通信圏内にあってもデジタルカメラ３又は高精細テレビ１の主電源がオフされて通信待機状態でなくなった場合、又は電波が何かによって遮蔽された場合、デジタルカメラ３の電池が消耗して通信が不能になった場合などが考えられる。デジタルカメラ３は、後述のように、デジタルカメラ３と高精細テレビ１との間で必要な画像交信が完了した後、上記のような圏外状態が新たに生じた場合にこれを圏外履歴として記録できるよう、圏外状態検知機能にリセットスタートをかけるようにしている。従って、圏外履歴がないということは、デジタルカメラ３と高精細テレビ１との間で必要な画像交信が完了した後に圏外状態が生じることなく無線ＵＳＢ通信可能な状態が継続していることを意味する。このような状態において新たな画像がデジタルカメラ３によって撮影される可能性は極めて低い。
【０１４７】
圏外履歴の有無は上記のような意義を有するので、ステップＳ１５６において圏外履歴がデジタルカメラ３の制御部３７０にないときは、さらに画像交信をする必要性が極めて低い。従って、この場合はステップＳ１４１に戻る。稀に、必要な画像交信が完了した後に圏外状態が生じることなく無線ＵＳＢ通信可能な状態が継続している状態においてデジタルカメラ３によって新たな画像が撮影されたとしても、次の送信機会を待てば充分だからである。これに対し、ステップＳ１５６において圏外履歴があることが検知されたときは、ステップＳ１５７に移行し、画像の自動交信のためにデジタルカメラ３の電源を自動的にオンする。圏外にあったデジタルカメラ３がステップＳ１５５で圏内に入った場合、新たな未送信画像が存在する可能性が高いからである。
【０１４８】
電源のオンが行われると、ステップＳ１５８に移行してデジタルカメラ３の記録部３１７をサーチし、高精細テレビ１で再生表示してよい画像を抽出してステップＳ１５９に移行する。該当する画像がない場合でもその旨のサーチ結果を記録してステップＳ１５９に移行する。なお、高精細テレビ１で再生表示してよい画像の意義は、ステップＳ１４８で説明したものと同じであり、デジタルカメラ３のユーザのプライバシー侵害防止が配慮されている。
【０１４９】
ステップＳ１５９では、まず最優先で送信すべき画像として、抽出した画像の中に当日記録された画像がないかどうかチェックする。該当する画像があれば、ステップＳ１６０に進み、無線ＵＳＢ通信によるそれらの画像の圧縮画像信号とともに、サムネイル情報を高精細テレビ１に送信する指示をした後、ステップＳ１６１に移行する。該当する画像がなければ、直接ステップＳ１６１に移行する。
【０１５０】
ステップＳ１６１では、次に優先すべき画像として、抽出した画像の中にまだ一度も高精細テレビ１に送信されたことのない画像がないかどうかをチェックする。該当する画像があれば、ステップＳ１６２に進み、無線ＵＳＢ通信によるそれらの画像の圧縮画像信号およびサムネイル情報の高精細テレビ１への送信を指示した後、ステップＳ１６３に移行する。該当する画像がなければ、直接ステップＳ１６３に移行する。
【０１５１】
ステップＳ１６３では、高精細テレビ１に保存されていないその他の画像がないかどうかをチェックする。これに該当するのは、一度高精細テレビ１に送信したがユーザがその画像を高精細テレビ１に保存する指示をしなかったものであり、ユーザが高精細テレビ１での再生を希望する可能性が最も低く、送信の優先度が低いものである。しかし、このような画像についても再生が希望される可能性はあるので、該当するものがあればステップＳ１６４に進み、無線ＵＳＢ通信によるそれらの画像の高精細テレビ１への送信を指示した後、ステップＳ１６５に移行する。該当する画像がなければ、直接ステップＳ１６５に移行する。
【０１５２】
上記のように画像の送信順に優先度を付ける理由は次の通りである。まず、画像の自動送信中にユーザが統括リモコン４を操作してある画像のテレビ表示を要求することを考えたとき、ユーザがテレビ表示を希望する可能性の高い画像が予め送信済みであれば送信に要する時間をセーブでき、テレビ表示が速やかに実行できるからである。また、一連の画像送信動作中に送信環境が阻害されて送信が中断される場合も考えられるが、この場合もユーザがテレビ表示を希望する可能性の高い画像ほど優先度を高くして、早い段階で画像信号が送信されるようにしておけば、中断前に送信済みとなっている可能性が高くなり、再生の要求に速やかに対応し得るからである。
【０１５３】
ステップＳ１６５では、テレビ送信を指示された画像の送信が完了したかどうかを待ち、完了次第、ステップＳ１６６に移行して圏外履歴検知にリセットスタートをかける。そしてステップＳ１４９に進み、デジタルカメラ３の電源を自動的にオフする。
【０１５４】
図１６は、第三の実施例に高精細テレビ１の制御部１７０の動作を示すフローチャートである。フローがスタートすると、ステップＳ１７１では、高精細テレビ１の電源がオンされているかどうかを見る。電源がオンされていない場合は、ステップＳ１７２に進み、図１５の自動モードに基づくデジタルカメラ３又はデジタルカメラ５からの画像送信要求がないかどうかチェックする。画像送信要求がなければ、ステップＳ１７１に戻り、以下、ステップＳ１７１およびステップＳ１７２を繰り返す。
【０１５５】
一方、ステップＳ１７２においてデジタルカメラ３又はデジタルカメラ５からの画像送信要求があればステップＳ１７３に進んで高精細テレビ１の電源をオンし、画像の受信に入る。ステップＳ１７４では要求のあった全てのデジタルカメラからの画像受信が完了したかどうかを見ており、完了すればステップＳ１７５に進んで高精細テレビ１の電源をオフし、ステップＳ１７１に戻る。
【０１５６】
また、ステップＳ１７１において、高精細テレビ１の電源がオンされていれば、ステップＳ１７６に進み、高精細テレビ１の動作モードがＤＳＣ画像再生モードかどうかをチェックする。ＤＳＣ画像再生モードであれば、ステップＳ１７７においてデジタルカメラ３又はデジタルカメラ５（この他に第三、第四等のデジタルカメラがあってよいが、以下、デジタルカメラ３およびデジタルカメラ５で複数ある可能性があるデジタルカメラを代表させる）の指定が行われたかどうかをチェックする。この指定は、高精細テレビ１に予め登録されている全てのデジタルカメラをテレビ表示部１１７にアイコン表示するとともに統括リモコン４の操作部４０２によってそのうちの任意のものを選択することによって行われる。デジタルカメラの指定があればステップＳ１７８でデジタルカメラの選別を行い、指定されていないデジタルカメラの画像が高精細テレビ１に受信されないようにして、ステップＳ１７９に進む。一方、ステップＳ１７７におけるデジタルカメラの指定がなければ、登録されている全てのデジタルカメラが指定されたものとみなしてステップＳ１７９に進む。
【０１５７】
ステップＳ１７９では、指定されたデジタルカメラの電源をオンする信号を双方向低速デジタル通信によってそれぞれのデジタルカメラに送るとともに、高精細テレビ１と無線ＵＳＢ通信不可能なデジタルカメラがないかどうかチェックする。ステップＳ１７９において無線ＵＳＢ通信不可のデジタルカメラがあることが検知されると、ステップＳ１８０でその旨を警告表示してステップＳ１８１に進む。この警告表示はテレビ画面表示部１１７で行う。また、この警告表示は統括リモコン４に表示部を設けてそこに表示するようにしてもよい。この場合、ステップＳ１８０では、ステップＳ１７９の判断に基づいて双方向低速デジタル通信により警告表示を出す旨の指示信号を高精細テレビ１から統括リモコン４に送信する。なお、ステップＳ１７９で無線ＵＳＢ通信不可のデジタルカメラが検出されなければ、直接ステップＳ１８１に進む。
【０１５８】
ステップＳ１８１では、指定されかつ無線ＵＳＢ通信可能な個々のデジタルカメラについて、パスワード入力の要求をテレビ画面表示部１１７上で行うとともに、これに応じて統括リモコン４の操作部４０２の操作で入力されたパスワードが予め登録されているものと合致するかどうかチェックする。ここで、かかるパスワードは、デジタルカメラ側で設定された全画像についてのテレビ表示の禁止又は画像毎のテレビ表示の禁止設定を解除するためのものである。
【０１５９】
ステップＳ１８１において、入力されたパスワードと予め登録されたパスワードとが合致した場合は、デジタルカメラ側で設定された全画像についてのテレビ表示の禁止又は画像毎のテレビ表示の禁止設定を解除した上で、ステップＳ１８３に進む。逆に、パスワードが入力されないか又は予め登録されたパスワードと異なっていた場合は、ステップＳ１８２において、デジタルカメラ側でテレビ表示を禁止する設定がなされていることを通知した後に、ステップＳ１８３に進む。なお、かかる通知はテレビ画面表示部１１７に、テレビ表示を禁止する設定がなされている旨を示すメッセージを表示することによって実行され、また、この禁止設定表示は、上記の警告表示の場合と同様、統括リモコン４に表示部を設けてそこに表示するようにしてもよい。
【０１６０】
ステップＳ１８３では、以上の処理の結果、テレビ再生の対象となる画像があるかどうかをチェックして抽出し、ステップＳ１８４に進む。再生すべき画像がない場合（デジタルカメラから受信すべき画像がない場合等）は、ステップＳ１９０に進む。
【０１６１】
ステップＳ１８４では、指定されたデジタルカメラからサムネイル情報を受信する。このステップＳ１８４では、先のステップＳ１８１において、デジタルカメラ側のテレビ表示の禁止設定が解除されている場合には、全ての画像のサムネイル情報がデジタルカメラから送信され、これに対して、デジタルカメラ側のテレビ表示の禁止設定が解除されていない場合には、テレビ再生が許可されている画像のみのサムネイル情報がデジタルカメラから送信される。
【０１６２】
このように本実施例においては、高精細テレビ１は、指定されたデジタルカメラからサムネイル情報を取得するに際し、パスワードが合致しない限りは、デジタルカメラ側で禁止設定された画像のサムネイル情報を取得できないように構成されている。このため、他のユーザに鑑賞されないように指定した画像が誤って表示されてしまうことを防止することができる一方で、禁止設定を行ったユーザ自身が高精細テレビ１を利用して画像を鑑賞する場合には、自らが設定したパスワードを入力すれば、禁止設定を行った画像であっても表示することができる。
【０１６３】
サムネイル情報の受信が終了すると、ステップＳ１８５に進む。ステップＳ１８５では、対象となる画像のサムネイルを、複数のデジタルカメラのいずれで撮影されたものかに拘わらず、日付順に並べて混合表示する。なお、このステップＳ１８５においては、予め統括リモコン４の操作部４０２でモード切換えしておくことにより、このような混合表示に代えてデジタルカメラ毎に区分してサムネイル表示することも可能である。
【０１６４】
サムネイル表示が行われるとステップＳ１８６でそのいずれかの指定を待つ。統括リモコン４が操作されて、高精細テレビ１に表示すべき画像が指定されると、ステップＳ１８７に進み、対応する画像がまだデジタルカメラから送信されていなければその受信を行うとともに、既に受信されていれば静止画記録部１２０から対応する画像を読み出す。
【０１６５】
ステップＳ１８７で表示すべき画像の圧縮画像信号を取得すると、次いで、ステップＳ１８８において、圧縮画像信号を伸張し、続くステップＳ１８９においてこれをテレビ画面表示部１１７に表示する。ステップＳ１８９では、さらに表示されている画像を静止画記録部１２０で正式に保存するかどうかの指定も行う。統括リモコン４の操作部４０２の指示を待たずに自動モードでデジタルカメラから送信されてきた画像は静止画記録部１２０で仮記憶されているが、これらの画像についてもステップＳ１８９において正式に保存するかどうかの処分を決める。画像の表示や保存の処理の詳細は既に第一の実施例や、第二の実施例について説明した処理が適用可能である。これらの処理が終わるとステップＳ１９０に進む。
【０１６６】
ステップＳ１９０では、テレビ電源がオフされているかどうかをチェックし、オフされていなければステップＳ１７６に戻る。この際、ステップＳ１７６にてＤＳＣ再生モードの継続が検知されれば、ステップＳ１７７に進み、以下ステップＳ１９０に至るループを何度でも繰り返す。そして前回と状況が異なっていればそれに対応して異なった処理をする。例えば、ステップＳ１８６において、次のサムネイルが指定されれば対応する画像についてステップＳ１８７ないしステップＳ１８９の処理を行う。
【０１６７】
また、ループの繰り返しにおいて、ステップＳ１７９とステップＳ１８０は、ＤＳＣ画像再生モード開始当初は無線ＵＳＢ通信が可能であったが、途中で、何らか理由でＵＳＢ通信が不可となったときに警告を行う機能を発揮する。このようなステップＳ１７９とステップＳ１８０の機能により、例えば、必要な画像の受信が完了していないにも拘わらず、デジタルカメラ３が室外に持ち出されて高精細テレビ１の通信圏外に出た場合や、電波が、途中で、何かによって遮蔽された場合、デジタルカメラ３の電池が途中で消耗して通信が不能になった場合などにおいて、その警告をテレビ画面表示部１１７で行うことが可能である。
【０１６８】
さらに、ループの繰り返しにおいて、上記とは逆に、ＤＳＣ画像再生モード開始当初は無線ＵＳＢ通信が不可と判定されていたデジタルカメラが室内に持ち込まれた等の理由により途中でＵＳＢ通信可能となった場合は、ステップＳ１８３で抽出される対象画像が増える可能性がある。同様に、途中で指定デジタルカメラを追加した場合や、当初誤って入力したパスワードを正しく入力しなおした場合等も、ステップＳ１８３で抽出される対象画像が増える可能性がある。
【０１６９】
ステップＳ１９０でテレビ電源のオフが検知された場合は、ステップＳ２００に進んで、デジタルカメラの電源をオフする信号を双方向低速デジタル通信にてデジタルカメラに送信し、デジタルカメラの電源をオフする。デジタルカメラの電源をオフした後は、ステップＳ１７１に戻り、次のテレビ電源オンのために待機する。なお、デジタルカメラの電源は、必ずしも高精細テレビ１の電源オフを検知したときにオフされる必要はなく、ステップＳ１８７の処理を経て、指定された画像の静止画像信号を受信した後であれば、高精細テレビ１の電源オフを検知する前に、デジタルカメラの電源をオフするように構成することもできる。
【０１７０】
ステップＳ１７６において、ＤＳＣ画像再生モードが検知されない場合は、高精細テレビ１の動作モードは通常テレビモードなので、ステップＳ１９１に進み、通常テレビ機能の実行に入る。そしてステップＳ１９２では、テレビ番組鑑賞中に統括リモコン４の操作によりＤＳＣ画像再生モードへの変更が行われたかどうかをチェックする。そしてモード変更が検知されたときはステップＳ１７７に移行し、以下、既に説明したＤＳＣ画像再生モードの動作を行う。
【０１７１】
ステップＳ１９２でモード変更が検知されなかったときはステップＳ１９３に進み、自動モードによるデジタルカメラの画像の圧縮画像信号およびサムネイル情報の着信がないかどうかをチェックする。ここで、自動モードで設定されたデジタルカメラから送信される圧縮画像信号およびサムネイル情報は、そのデジタルカメラで禁止設定がなされていない画像の圧縮画像信号およびサムネイル情報のみである。
【０１７２】
着信があったときはステップＳ１９４に進み、番組表示に重畳して、着信があった旨の通知をテレビ画面表示部１１７に表示する。ステップＳ１９４の重畳表示としては、まず着信当初から「新画像着信中」のメッセージの表示を開始し、画像データの受信が完了したときに「新着画像表示準備完了」のメッセージに変更する。その後ステップＳ１９５に進んで、高精細テレビ１の動作モードがＤＳＣ画像再生モードに変更されたかどうかをチェックする。そしてモード変更が検知されたときはステップＳ１８８に移行し、以下、既に説明したステップＳ１８８ないしＳ１９０の動作を行う。
【０１７３】
ステップＳ１９５にて、高精細テレビ１の動作モードの変更が検知されないときは、ステップＳ１９６に進み、重畳表示のメッセージが「新画像着信中」から「新着画像表示準備完了」に変わってから所定時間経過したかどうかをチェックする。そして、所定時間経過していなければ、ステップＳ１９４に戻り、ステップＳ１９４で「新着画像表示準備完了」のメッセージの重畳表示を続けながらステップＳ１９５でモード変更が行われるのを待つ。このようにして、ステップＳ１９４からステップＳ１９６のループを繰り返す。
【０１７４】
ステップＳ１９６で、モード変更なしに所定時間が経過したことが検知されたときは、ユーザが新着画像をすぐに見るつもりがないものと判断し、「新着画像表示準備完了」のメッセージの重畳表示を消すとともに新着表示済みの記録を残してステップＳ１９７に進む。なお、ステップＳ１９３において自動モードに設定されたデジタルカメラからの画像信号の着信が検知されなかった場合は、直接ステップＳ１９７に移行する。
【０１７５】
ステップＳ１９７では、テレビ電源がオフされたかどうかをチェックし、オフされたことが検知されない場合はステップＳ１９１に戻る。そして、テレビ電源がオフされない限り、ステップＳ１９１からステップＳ１９７のループを繰り返し、ＤＳＣ画像再生へのモード変更に対応する。なお、ループの繰り返しにおいて、ステップＳ１９３は新着表示済みの記録がある画像データには反応しないので、新たにＤＳＣ画像の着信がない限り、一度着信表示をした後はステップＳ１９３からステップＳ１９７に移行することを繰り返す。
【０１７６】
ステップＳ１９７においてテレビ電源のオフが検知されたときはステップＳ１９０に進み、テレビ電源はオフであるからステップＳ１９０を経由してステップＳ１７１に戻る。そして次のテレビ電源オンのために待機する。なお、ステップＳ１９７によって既にテレビ電源オフが検知された状態でステップＳ１９０に至ったときは、ステップＳ２００におけるデジタルカメラの電源をオフする信号送信は行わない。この場合、デジタルカメラの電源がオンのままであることは考えられないからである。
【０１７７】
以上の第三の実施例において、自動モードについては、図１５のステップＳ１５５にてデジタルカメラ３が高精細テレビ１の無線ＵＳＢ通信圏内に入ったときにデジタルカメラ３が自発的に静止画像信号の送信を開始するものとして説明したが、本発明はこのように自動モードの機能をデジタルカメラ自身が備える形の実施の形態に限られるものではなく、自動モードの機能を高精細テレビ側に持たせてもよい。この場合、高精細テレビ１が自身の無線ＵＳＢ通信圏内にデジタルカメラが入ったことを制御部１７０が検知すると、そのデジタルカメラに電源オン信号を送るとともに送信可能な静止画像信号の送信を指示して、この指示に応じてデジタルカメラが送ってくる静止画像信号を受信し、その受信を完了すると電源オフ信号をデジタルカメラに送信する。
【０１７８】
上記の各実施例においては、デジタルカメラ３で撮影される画像が静止画像であり、高精細テレビ１に送信される画像信号が、撮影された静止画像信号である場合について説明したが、これは動画像信号であってもよい。
【０１７９】
この場合、高精細テレビ１に画像信号を送信するに先立って、例えば図２のステップＳ３で表示部３１５に表示される画像は、１つの動画像ファイルを代表する１枚の代表静止画像である。操作者が、ステップＳ５において、テレビ再生操作を行った場合、表示部３１５に表示された代表静止画像に対応する圧縮動画像信号を、高精細テレビ１に送信することができる。
【０１８０】
この際に、静止画像信号を送信する場合と同様に、ステップＳ２７からステップＳ３３の処理、およびステップＳ３５，ステップＳ３６の処理が行われる。一方、高精細テレビ１側においても、圧縮動画像信号に対し、図４のステップＳ５４からステップＳ５９に準じた処理が行われる。但し、ステップＳ５９は、動画の連続再生のステップとなる。つまり、動画のテレビ画面再生の場合、図２のステップＳ３でデジタルカメラ３の表示部３１５に表示される動画の代表静止画面を見たユーザが、テレビ再生を意図して操作部３１２を操作したことがステップＳ５で検知されると、後は自動的に図４のステップＳ５９に至り、高精細テレビ１のテレビ画面表示部１１７における該当動画の再生が開始されることになる。
【０１８１】
なお、ステップＳ５７は全ての圧縮動画像信号が伸張されるのを待つのではなく、動画像信号を最初のコマから連続して再生できる状態になった時点でステップＳ５９に移行してよい。また、高精細テレビ１に動画像信号を送信する場合には、ステップＳ５６での圧縮画像信号受信やステップＳ５８における記録済み画像呼出しにおいて、１つの動画像ファイルの全ての動画像信号を受信又は呼出しする前にステップＳ５７に移行し、再生開始準備できる状態になったコマからステップＳ５９での動画連続再生に入るように構成してもよい。
【０１８２】
また、デジタルカメラ３から高精細テレビ１に送信される信号は、画像信号に限定されず、音声信号を含むものであってもよい。
【０１８３】
また、デジタルカメラ３が、テレビリモコン２又は統括リモコン４の機能を含む構成としてもよい。この場合、デジタルカメラ３は、上述した赤外通信部２０３、制御部２０１、操作部２０２、又は、双方向低速デジタル通信部４６０、制御部４０１、操作部４０２を有し、テレビリモコン２又は統括リモコン４の機能も司る。このような構成とすることにより、圧縮画像信号の送信、再生動作のみならず、音量のＵＰ／ＤＯＷＮ、放送番組のチャンネル選択等、一般的なテレビに関する操作を単一の操作機器で、制御することができる。
【０１８４】
以上の実施例は、便宜上別々に説明したが、相反する異なったシステムとして存在するわけではなく、各実施例の機能をそれぞれ選択可能なモードとして搭載し、ユーザが必要に応じ選択できるようにすることが可能である。また、各実施例の機能を組み合わせて搭載することも可能である。
【図面の簡単な説明】
【０１８５】
【図１】本発明の第一の実施例のシステムブロック図である。
【図２】第一の実施例におけるデジタルカメラの制御部の動作を示す基本フローチャートである。
【図３】図２のステップＳ６におけるテレビ再生処理の詳細を示すフローチャートである。
【図４】第一の実施例にかかる高精細テレビの制御部の動作を示す基本フローチャートである。
【図５】図２のステップＳ６におけるテレビ再生処理の詳細の他の実施例を示すフローチャートである。
【図６】図５のステップＳ７２で開始が指示されたバックグラウンド処理の内容を示すフローチャートである。
【図７】図４のステップＳ６８の前後に挿入することが出来る処理のフローチャートである。
【図８】本発明の第二の実施例のシステムブロック図である。
【図９】図４または、図７のステップＳ６２におけるＤＳＣモード終了処理の詳細を示すフローチャートである。
【図１０】図４のステップＳ６０におけるテレビ側保存処理の詳細を示すフローチャートである。
【図１１】図２のフローチャートに一部機能を追加したフローチャートである。
【図１２】図１１のステップＳ１２７におけるテレビ再生処理の詳細を示すフローチャートである。
【図１３】本発明の第三の実施例のシステムブロック図である。
【図１４】第三の実施例において、デジタルカメラが複数ある場合のシステムブロック図である。
【図１５】図１３の第三の実施例におけるデジタルカメラの制御部の機能を示す基本フローチャートである。
【図１６】第三の実施例に高精細テレビの制御部の動作を示すフローチャートである。
【符号の説明】
【０１８６】
１  高精細テレビ
２  テレビリモコン
３、５  デジタルカメラ
４  統括リモコン
１１１  赤外通信部
１１２  無線ＵＳＢ通信部
１１３、１７０  制御部
１１４  放送受信部
１１５  録画再生処理部
１１６  表示制御部
１１７  テレビ画面表示部
１１８  内蔵ハードディスク装置
１１９  放送記録部
１２０  静止画記録部
１２１  画像保持部
１２２  伸張部
１５０、１６０  双方向低速デジタル通信部
２０１  制御部
２０２  テレビリモコン
２０３  赤外通信部
２５０  双方向低速デジタル通信部
３１１、３７０、５７０  制御部
３１２、３８０  操作部
３１３、５１３  無線ＵＳＢ通信部
３１４  撮像部
３１５  表示部
３１６  圧縮部
３１７  記録部
３１８  伸張部
３５０、３６０、５６０  双方向低速デジタル通信部
４０１  制御部
４０２  操作部
４６０  双方向低速デジタル通信部
【図１】
0004821975.tif 000002
【図２】
0004821975.tif 000003
【図３】
0004821975.tif 000004
【図４】
0004821975.tif 000005
【図５】
0004821975.tif 000006
【図６】
0004821975.tif 000007
【図７】
0004821975.tif 000008
【図８】
0004821975.tif 000009
【図９】
0004821975.tif 000010
【図１０】
0004821975.tif 000011
【図１１】
0004821975.tif 000012
【図１２】
0004821975.tif 000013
【図１３】
0004821975.tif 000014
【図１４】
0004821975.tif 000015
【図１５】
0004821975.tif 000016
【図１６】
0004821975.tif 000017